(57)【要約】  本開示は、伝送指示信号の伝送方法、ネットワーク装置及び端末を開示しており、当該方法は、ネットワーク装置によって占有される時間周波数リソースのうちの一部のリソースで伝送指示信号を受信するステップを含み、伝送指示信号は、端末動作指示情報に基づいて対応する端末動作を実行するように上記端末に指示するために使用される。
2022500951.tif 000002
【特許請求の範囲】
【請求項１】
端末側に適用される伝送指示信号の伝送方法であって、
ネットワーク装置によって占有される時間周波数リソースのうちの一部のリソースで伝送指示信号を受信するステップを含み、
前記伝送指示信号は、端末動作指示情報に基づいて対応する端末動作を実行するように前記端末に指示するために使用され、
前記端末動作指示情報は、端末動作を指示するために使用される、伝送指示信号の伝送方法。
【請求項２】
前記端末動作指示情報は、前記のネットワーク装置が、上位層シグナリングまたはメディアアクセス制御（ＭＡＣ）制御ユニット（ＣＥ）を通じて伝送され、前記端末動作指示情報は、以下の動作、即ち、
物理下り制御チャネル（ＰＤＣＣＨ）のセンシング、
チャネル状態情報（ＣＳＩ）の測定、
無線リソース管理（ＲＲＭ）の測定、
ビーム管理測定、
無線リンク監視、及び、
ビーム失敗検出、のうちの少なくとも１つを実行するように、端末に指示するために使用される、請求項１に記載の伝送指示信号の伝送方法。
【請求項３】
ネットワーク装置によって占用される時間周波数リソースのうちの一部のリソースで伝送指示信号を受信するステップの後に、さらに、
下り物理信号または下り物理チャネルを受信するステップを含み、そのうち、前記下り物理信号または下り物理チャネルは、前記伝送指示信号の伝送リソースと重ならない、請求項１に記載の伝送指示信号の伝送方法。
【請求項４】
前記ネットワーク装置によって占用される時間周波数リソースは、アンライセンスバンドの周波数帯域リソースである、請求項１に記載の伝送指示信号の伝送方法。
【請求項５】
前記伝送指示信号は、
ＰＤＣＣＨと、
ＰＤＣＣＨの復調参照信号（ＤＭＲＳ）と、
物理下り共有チャネル（ＰＤＳＣＨ）のＤＭＲＳと、
チャネル状態情報参照信号（ＣＳＩ−ＲＳ）と、
所定の系列とのうちの１つによって伝送され、請求項１に記載の伝送指示信号の伝送方法。
【請求項６】
前記ＰＤＣＣＨのＤＭＲＳは帯域幅（ＤＭＲＳ）である、請求項５に記載の伝送指示信号の伝送方法。
【請求項７】
前記帯域幅（ＤＭＲＳ）は、制御リソースセット（ＣＯＲＥＳＥＴ）内の連続するリソースブロック（ＲＢ）のリソースエレメントグループ（ＲＥＧ）の上にマッピングされ、且つ、前記ＣＯＲＥＳＥＴのプリコーディング粒子度は、前記ＣＯＲＥＳＥＴに含まれるＲＢ数と同じである、請求項６に記載の伝送指示信号の伝送方法。
【請求項８】
ネットワーク装置によって占用される時間周波数リソースのうちの一部のリソースで前記伝送指示信号を受信するステップの前に、前記伝送指示信号の設定情報を受信するステップをさらに含む、請求項５に記載の伝送指示信号の伝送方法。
【請求項９】
前記設定情報は、前記伝送指示信号の伝送周期、所在タイムスロット（ｓｌｏｔ）、所在ｓｌｏｔにおける直交周波数分割多重（ＯＦＤＭ）シンボルの位置、所在ｓｌｏｔにおけるＯＦＤＭシンボルの数、所在ＯＦＤＭシンボル上のＲＢ、及び擬似コロケーション（ＱＣＬ）関係のうち少なくとも１つを含む、請求項８に記載の伝送指示信号の伝送方法。
【請求項１０】
前記ＱＣＬ関係は、前記伝送指示信号が、同期信号ブロック（ＳＳＢ）、ディスカバリ信号及びＣＳＩ−ＲＳのうちの少なくとも１つと擬似コロケーションであることを含む、請求項９に記載の伝送指示信号の伝送方法。
【請求項１１】
前記伝送指示信号が前記ＰＤＣＣＨを介して送信される場合、前記設定情報は、前記ＰＤＣＣＨのリセンシング周期、センシング持続時間、ｓｌｏｔオフセット、ｓｌｏｔ内のＯＦＤＭシンボル、所在ＣＯＲＥＳＥＴ、下り制御情報（ＤＣＩ）フォーマット、ＤＣＩサイズ、制御チャネル要素（ＣＣＥ）のアグリゲーションレベルＡＬ、及びセンシングされるＣＣＥ候補集合のうち少なくとも１つを含む、請求項８または請求項９に記載された伝送指示信号の伝送方法。
【請求項１２】
前記伝送指示信号がＰＤＣＣＨのＤＭＲＳを介して伝送される場合、前記設定情報は、前記ＰＤＣＣＨのＤＭＲＳが所在するＣＯＲＥＳＥＴ及び／又は前記ＣＯＲＥＳＥＴの時間領域位置を含む、請求項８または請求項９に記載の伝送指示信号の伝送方法。
【請求項１３】
前記伝送指示信号がＰＤＳＣＨのＤＭＲＳを介して伝送される場合、前記設定情報は、前記のＰＤＳＣＨのＤＭＲＳが所在するＯＦＤＭシンボル及び／又は前記ＯＦＤＭシンボル上のＲＢを含む、請求項８または請求項９に記載の伝送指示信号の伝送方法。
【請求項１４】
前記伝送指示信号がＣＳＩ−ＲＳを介して伝送される場合、前記の設定情報は、前記ＣＳＩ−ＲＳのポート数、周期、所在の時間領域位置、所在の周波数領域位置、密度、コード分割多重（ＣＤＭ）タイプ、電力サイズ、前記時間領域位置のＲＢ、スクランブリングＩＤ、及び送信設定指示子（ＴＣＩ）の状態のうち少なくとも１つを含む、請求項８または請求項９に記載の伝送指示信号の伝送方法。
【請求項１５】
前記伝送指示信号が所定の系列で伝送される場合、前記設定情報は、前記所定の系列の生成パラメータ、周期、所在の時間領域リソース、電力サイズ及び前記所定の系列の伝送リソースの内少なくとも１つを含む、請求項８または請求項９に記載の伝送指示信号の伝送方法。
【請求項１６】
前記所定の系列の生成パラメータは、前記ネットワーク装置のチャネル占有時間（ＣＯＴ）の時間情報に関連し、前記記時間情報は、前記ＣＯＴの開始時刻、持続時間、及び終了時刻のうち少なくとも１つを含む、請求項１５に記載の伝送指示信号の伝送方法。
【請求項１７】
ネットワーク装置によって占用される時間周波数リソースのうちの一部のリソースで伝送指示信号を受信するための第１受信モジュールを備える端末であって、
前記伝送指示信号は、端末動作指示情報に基づいて対応する端末動作を実行するようと前記端末に指示するために使用され、
前記の端末動作指示情報は、端末動作を指示するために使用される、端末。
【請求項１８】
プロセッサと、メモリと、前記メモリに記憶されて、前記プロセッサ上で実行されるコンピュータープログラムとを有し、前記コンピュータープログラムが前記プロセッサによって実行されると、請求項１から１６のいずれか１項の伝送指示信号の伝送方法のステップを実現する、端末。
【請求項１９】
ネットワーク装置側に適用される伝送指示信号の伝送方法であって、
占用している時間周波数リソースのうちの一部のリソースで伝送指示信号を送信するステップを含み、
前記伝送指示信号は、端末動作指示情報に基づいて対応する端末動作を実行するようと前記端末に指示するために使用され、
前記端末動作指示情報は、端末動作を指示するために使用される、方法。
【請求項２０】
請求項１９に記載の伝送指示信号の伝送方法であって、占用している時間周波数リソースの一部のリソースで、伝送指示信号を送信するステップの後に、さらに、
端末に下り物理信号または下り物理チャネルを送信するステップを含み、そのうち、前記下り物理信号または下り物理チャネルは、前記伝送指示信号の伝送リソースと重ならない、方法。
【請求項２１】
占用している時間周波数リソースは、アンライセンスバンドの周波数帯域リソースである、請求項１９に記載の伝送指示信号の伝送方法。
【請求項２２】
前記伝送指示信号は、
物理下り制御チャネル（ＰＤＣＣＨ）と、
ＰＤＣＣＨの復調参照信号（ＤＭＲＳ）と、
ＰＤＳＣＨのＤＭＲＳと、
チャネル状態情報参照信号（ＣＳＩ−ＲＳ）と、
所定の系列とのうちの１つによって送信される、請求項１９に記載の伝送指示信号の伝送方法。
【請求項２３】
前記ＰＤＣＣＨのＤＭＲＳは帯域幅ＤＭＲＳである、請求項２２に記載される伝送指示信号の伝送方法。
【請求項２４】
前記帯域幅ＤＭＲＳは、制御リソースセットＣＯＲＥＳＥＴ内の連続するリソースブロック（ＲＢ）のリソースエレメントグループ（ＲＥＧ）の上にマッピングされ、且つ、前記ＣＯＲＥＳＥＴのプリコーディング粒子度は、前記ＣＯＲＥＳＥＴに含まれるＲＢ数と同じである、請求項２３に記載の伝送指示信号の伝送方法。
【請求項２５】
占用している時間周波数リソースのうちの一部のリソースで伝送指示信号を送信するステップの前に、端末に前記伝送指示信号の設定情報を送信するステップをさらに含む、請求項２２に記載の伝送指示信号の伝送方法。
【請求項２６】
前記設定情報は、前記伝送指示信号の伝送周期、所在タイムスロット（ｓｌｏｔ）、所在ｓｌｏｔにおける直交周波数分割多重（ＯＦＤＭ）シンボルの位置、所在ｓｌｏｔにおけるＯＦＤＭシンボルの数、所在ＯＦＤＭシンボル上のＲＢ、及び擬似準コロケーション（ＱＣＬ）関係のうち少なくとも１つを含む、請求項２５に記載の伝送指示信号の伝送方法。
【請求項２７】
前記ＱＣＬ関係は、前記伝送指示信号が、同期信号ブロック（ＳＳＢ）、ディスカバリ信号及びＣＳＩ−ＲＳのうちの少なくとも１つと擬似コロケーションであることを含む、請求項２６に記載の伝送指示信号の伝送方法。
【請求項２８】
前記伝送指示信号が前記ＰＤＣＣＨを介して送信される場合、前記設定情報は、前記ＰＤＣＣＨのセンシング周期、センシング持続時間、ｓｌｏｔオフセット、ｓｌｏｔ内のＯＦＤＭシンボル、所在ＣＯＲＥＳＥＴ、下り制御情報（ＤＣＩ）フォーマット、ＤＣＩサイズ、制御チャネル要素（ＣＣＥ）のアグリゲーションレベルＡＬ、及びセンシングされるＣＣＥ候補集合のうち少なくとも１つを含む、請求項２５または請求項２６に記載の伝送指示信号の伝送方法。
【請求項２９】
前記伝送指示信号がＰＤＣＣＨのＤＭＲＳを介して送信される場合、前記設定情報は、前記ＰＤＳＣＨのＤＭＲＳが所在するＣＯＲＥＳＥＴ及び／又は前記ＣＯＲＥＳＥＴの時間領域位置を含む、請求項２５または請求項２６に記載の伝送指示信号の伝送方法。
【請求項３０】
前記伝送指示信号がＰＤＳＣＨのＤＭＲＳを介して送信される場合、前記設定情報は、前記ＰＤＳＣＨのＤＭＲＳが所在するＯＦＤＭシンボル及び／又は前記ＯＦＤＭシンボル上のＲＢを含む、請求項２５または請求項２６に記載の伝送指示信号の伝送方法。
【請求項３１】
前記伝送指示信号がＣＳＩ−ＲＳを介して伝送される場合、前記設定情報は、前記ＣＳＩ−ＲＳのポート数、周期、所在の時間領域位置、所在の周波数領域位置、密度、コード分割多重（ＣＤＭ）タイプ、電力サイズ、前記時間領域位置のＲＢ、スクランブリングＩＤ、及び送信設定指示子（ＴＣＩ）状態のうち少なくとも１つを含む、請求項２５または請求項２６に記載の伝送指示信号の伝送方法。
【請求項３２】
前記伝送指示信号が所定の系列で伝送される場合、前記設定情報は、前記所定の系列の生成パラメータ、周期、所在の時間領域リソース、電力サイズ及び前記所定の系列の伝送リソースの内少なくとも１つを含む、請求項２５または請求項２６に記載の伝送指示信号の伝送方法。
【請求項３３】
前記所定の系列の生成パラメータは、前記ネットワーク装置のチャネル占用時間（ＣＯＴ）の時間情報に関連し、前記時間情報は、前記ＣＯＴの開始時刻、持続時間、及び終了時刻のうち少なくとも１つを含む、請求項３２に記載の伝送指示信号の伝送方法。
【請求項３４】
占用している時間周波数リソースのうちの一部のリソースで伝送指示信号を送信するための第１送信モジュールを備えるネットワーク装置であって、
前記伝送指示信号は、端末動作指示情報に基づいて対応する端末動作を実行するように、端末に指示するために使用され、
前記端末動作指示情報は、端末動作を指示するために使用される、ネットワーク装置。
【請求項３５】
プロセッサと、メモリと、前記メモリに記憶されて、前記プロセッサ上で実行されるコンピュータープログラムとを含まれ、前記プロセッサが前記コンピュータープログラムを実行すると、請求項１９から３３のいずれか１項に記載の伝送指示信号の伝送方法のステップを実現する、ネットワーク装置。
【請求項３６】
プロセッサによって実行されると、請求項１〜１６、請求項２９〜３３のいずれか１項に記載の伝送指示信号の伝送方法のステップを実現するコンピュータープログラムが記憶されたコンピューター可読記憶媒体。
【発明の詳細な説明】
【技術分野】
【０００１】
関連出願の相互参照
当出願は２０１８年９月２０日に中国で提出された中国特許出願番号Ｎｏ．  ２０１８１１１０３５２８．６の優先権を主張し、その全部の内容は引用によってこれに含まれる。
【０００２】
本開示は通信技術の分野に関連し、特に、伝送指示信号の伝送方法、ネットワーク装置及び端末に関連する。
【背景技術】
【０００３】
新しいエアインターフェース（Ｎｅｗ  Ｒａｄｉｏ、ＮＲ）のアンライセンスバンドの周波数帯域にて、情報を送信する前に、端末またはネットワーク装置に対し、クリアチャネルアセスメント（Ｃｌｅａｒ  Ｃｈａｎｎｅｌ  Ａｓｓｅｓｓ、ＣＣＡ）／拡張クリアチャネルアセスメント（ｅｘｔｅｎｄｅｄ  Ｃｌｅａｒ  Ｃｈａｎｎｅｌ  Ａｓｓｅｓｓ、ｅＣＣＡ）を実行することによって、チャネルをセンシングし、つまりエネルギー検出（Ｅｎｅｒｇｙ  Ｄｅｔｅｃｔｉｏｎ、ＥＤ）を実行する。エネルギーが特定の閾値より低い場合、チャネルは空であると判断されてから送信を開始できる。アンライセンスバンドの周波数帯域が複数の技術または複数の送信ノードで共有されるため、このような競合いに基づくアクセス方式は、チャネルが利用可能な時間の不確実性をもたらし、チャネルが利用可能（ａｖａｉｌａｂｌｅ）になる場合、ネットワーク側の信号伝送できる位置は、取り逃されたかも知れないので送信できなくなり、これにより、受信側がネットワーク側で設定された信号の受信、及び信号を受信してからネットワーク側での設定によって、端末の実行する行為は、例えば、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）のセンシングや、無線環境のモニタリングや測定等は正常に実行できなくなる。
【発明の概要】
【発明が解決しようとする課題】
【０００４】
当開示の実施例はアンライセンスバンドの周波数帯域に置いて端末が参照信号（Ｒｅｆｅｒｅｎｃｅ  Ｓｉｇｎａｌ、ＲＳ）を受信できない所為で、下り信号を正常に受信できないことを解決するために、伝送指示信号の伝送方法、ネットワーク装置及び端末を提供している。
【課題を解決するための手段】
【０００５】
第１の態様では、当開示の実施例は端末に適用される伝送指示信号の伝送方法を提供していて、次のものが含まれる。
【０００６】
ネットワーク装置が占用している時間周波数リソースの一部のリソースで伝送指示信号を受信し、その内、伝送指示信号が端末動作指示情報に従って対応する端末動作を実行するように、端末に指示するために使用され、端末動作の指示情報が端末を指示するために使用される。
【０００７】
第２の態様では、当開示の実施例はまた、次を含む端末を提供している。
【０００８】
第１受信モジュールは、ネットワーク装置が占用している時間周波数リソースの一部のリソースで伝送指示信号の受信に使用され、ここ、伝送指示信号が端末動作指示情報に従って対応する端末動作を実行するように、端末を指示するために使用され、端末動作の指示情報が端末動作を指示するために使用される。
【０００９】
当開示の実施例はプロセッサと、メモリと、及びメモリに記憶されてプロセッサで実行するコンピュータープログラムを有する端末を提供し、コンピュータープログラムがプロセッサーによって実行されると、上記の伝送指示信号の伝送方法についてのステップを実現する。
【００１０】
第４の態様では、当開示の実施例はネットワーク装置側に適用される伝送指示信号の伝送方法が提供されていて、次のものが含まれる。
【００１１】
占用している時間周波数リソースの一部のリソースで伝送指示信号を送信し、ここ、伝送指示信号が端末動作指示情報に従って対応する端末動作を実行するように、端末を指示するために使用され、端末動作の指示情報が端末動作を指示するために使用される。
【００１２】
第５の態様では、当開示の実施例はネットワーク装置を提供していて、次のものが含まれる。
【００１３】
第１送信モジュールは、占用している時間周波数リソースの一部のリソースで伝送指示信号の送信に使用され、ここ、伝送指示信号が端末動作指示情報に従って対応する端末動作を実行するように、端末を指示するために使用され、端末動作の指示情報が端末動作を指示するために使用される。
【００１４】
第６の態様では、当開示の実施例はまた、ネットワーク装置を提供していて、そのネットワーク装置はプロセッサー、メモリー、及びメモリに記憶されて動作するコンピュータープログラムが含まれていて、コンピュータープログラムがプロセッサーによって実行されると、上記の伝送指示信号の伝送方法についてのステップを実現する。
【００１５】
第７の態様では、当開示の実施例はコンピュータープログラムが記憶されているコンピューター可読記憶媒体を提供し、コンピュータープログラムがプロセッサーによって実行される時に上記の伝送指示信号の伝送方法についてのステップを実現する。
【００１６】
このように、当開示の実施例の端末は伝送指示信号を受信した後、端末動作（行動）の指示情報に基づいて、不必要な行為の試みることを免れるために、対応の端末動作を実行し、それによって、伝送性能を向上させ、端末の電力消費を節約することができる。
【００１７】
当開示の実施例の技術案をより明確に説明するために、次に、当開示の実施例の記載に使用されている付録図について簡単に紹介を行う。次に述べる付録図は明らかに分かって、ただ、当開示の一部の実施例だけであり、同業の一般の技術者に取っては、創造的な労働をしない前提として、また、これらの付録図に基づいてその他の付録図をも獲得することができる。
【図面の簡単な説明】
【００１８】
【図１】図１は、当開示の実施例に適用される移動通信システムのブロック図を示す。
【図２】図２は、当開示の実施例の端末側の伝送指示信号の伝送方法のフローチャート概略図を示す。
【図３】図３は、当開示の実施例の例２にある伝送指示信号のリソースマッピング概略図を示す。
【図４】図４は、当開示の実施例の例３にある伝送指示信号のリソースマッピング概略図を示す。
【図５】図５は、当開示の実施例の例４にある伝送指示信号の第１のリソースマッピング概略図を示す。
【図６】図６は、当開示の実施例の例４にある伝送指示信号の第２のリソースマッピング概略図を示す。
【図７】図７は、当開示の実施例のＤＲＸに置ける伝送指示信号のリソースマッピング概略図を示す。
【図８】図８は、当開示の実施例の端末のモジュール構造の概略図を示す。
【図９】図９は、当開示の実施例の端末のブロック図を示す。
【図１０】図１０は、当開示の実施例のネットワーク装置側の伝送指示信号の伝送方法のフローチャート概略図を示す。
【図１１】図１１は、当開示の実施例のネットワーク装置のモジュール構造の概略図を示す。
【図１２】図１２は、当開示の実施例のネットワーク装置のブロック図を示す。
【発明を実施するための形態】
【００１９】
次に付録図を参照して当開示の例示的な実施例についてより詳細に説明をする。付録図には当開示の例示的な実施例が示されているが、理解すべきであるのは、当開示はここで説明する実施例によって制限されるべきではなく、様々な形式でいずれも当開示を実現することができる。それどころか、これらの実施例を提供することは、当開示をより完全に理解し、当開示の範囲を同業の技術者に完全に伝達することができるためである。
【００２０】
本出願の明細書及び特許請求の範囲に使用される用語の「第１」（請求項１）、「第２」（請求項２）などは特定の順序または先後の順序を説明するために使用される必要がなく、類似の対象を区別するために使用される。ここで記載の本出願の実施例は、例えば、ここで図示または記載されるもの以外の順序で実施することができるように、このように使用されるデータは適切な場合に互いに交換可能であることが理解されるべきである。さらに、「含む」と「持つ」という用語及びそれらの任意の変形は非排他的な包含をカバーすることを意図している。例えば、一連のステップまたはユニットを含むプロセス、方法、システム、製品または装置は必ずしもそれらのステップまたはユニットを明確にリストされたものに限定されなく、これらのプロセス、方法、製品または装置に固有のその他のステップまたはユニットを明確にリストされていないものを含むことができるという意図がある。明細書及び特許請求にある「及び／または」は、接続された対象のうち少なくとも１つを意味する。
【００２１】
本文で記載する技術は長期発展進化型  Ｌｏｎｇ  Ｔｅｒｍ  Ｅｖｏｌｕｔｉｏｎ、ＬＴＥ）／ＬＴＥの進化系に限定されるものではなく、符号分割多元接続（Ｃｏｄｅ  Ｄｉｖｉｓｉｏｎ  Ｍｕｌｔｉｐｌｅ  Ａｃｃｅｓｓ、ＣＤＭＡ）、時分割多元接続（Ｔｉｍｅ  Ｄｉｖｉｓｉｏｎ  Ｍｕｌｔｉｐｌｅ  Ａｃｃｅｓｓ、ＴＤＭＡ）、周波数分割多元接続（Ｆｒｅｑｕｅｎｃｙ  Ｄｉｖｉｓｉｏｎ  Ｍｕｌｔｉｐｌｅ  Ａｃｃｅｓｓ、ＦＤＭＡ）、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）、シングルキャリア周波数分割多元接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、ＳＣ−ＦＤＭＡ）などの様々な無線通信システム及びその他のシステムにも使用される。「システム」と「ネットワーク」という用語は、常に互いに交換して使用することが可能である。本文で記載した技術は上記のシステム及び無線電信テクノロジーの両方に使用されても良く、他のシステム及び無線電信テクニックのために使用されてもよい。ただし、次の説明では例示の目的でＮＲシステムについて説明し、ＮＲ用語は以下の説明のほとんどで使用されるがこれらの技術はＮＲシステム応用以外のアプリケーションにも適用できる。
【００２２】
以下の説明は、特許権利要求項に記載の範囲、適用性、または設定を限定するものではなく、例示を提供するものである。本開示の精神及び範囲から離脱することなく、議論された要素の機能及び設定を変更することができる。各種の例示は適切に省略、代替、または各種の規程またはコンポーネントを追加することができる。例えば、説明された方法は、説明された順序とは違って実行されても良く、各種のステップを追加、省き、或いは組み合せても良い。さらに、いくつかの例示を参照して説明した特徴は、他の例示で組み合わされてもよい。
【００２３】
図１を参照する。図１は、本開示の実施例に適用可能な無線通信システムのブロック図を示す。無線通信システムは端末１１とネットワーク装置１２を含む。その内、端末１１は端末装置またはユーザ装置（Ｕｓｅｒ  Ｅｑｕｉｐｍｅｎｔ、ＵＥ）と呼ばれてもよい。端末１１は携帯電話、タブレットコンピューター（Ｔａｂｌｅｔ  Ｐｅｒｓｏｎａｌ  Ｃｏｍｐｕｔｅｒ）、ラップトップコンピューター（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）、ウェアラブルデバイス（Ｗｅａｒａｂｌｅ  Ｄｅｖｉｃｅ）または車載デバイスなどの端末側デバイスであっても良く、本開示の実施例には端末１１の具体的なタイプを限定しないことを説明する必要がある。ネットワーク装置１２は基地局またはコアネットワークであってもよい。そのうち、上記の基地局は第５世代移動通信技術（ｆｉｆｔｈ  ｇｅｎｅｒａｔｉｏｎ  ｃｅｌｌｕｌａｒ  ｎｅｔｗｏｒｋ  ｔｅｃｈｎｏｌｏｇｙ、５Ｇ）及び以降のバージョンの基地局（例えば、ｇＮＢ、５Ｇ  ＮＲ  ＮＢなど）であってもよく、または他の通信システムにおける基地局（例えば、ｅＮＢ、無線ローカルネットワーク（Ｗｉｒｅｌｅｓｓ  Ｌｏｃａｌ  Ａｒｅａ  Ｎｅｔｗｏｒｋ、ＷＬＡＮ）アクセスポイント、またはその他のアクセスポイントなど）であってもよい。そのうち、基地局（ベースステーション）は、ノードＢ、進化ノードＢ、アクセスポイント、ベーストランシーバ局（Ｂａｓｅ  Ｔｒａｎｓｃｅｉｖｅｒ  Ｓｔａｔｉｏｎ、ＢＴＳ）、無線基地局、無線送受信機、ベースサービスセット（Ｂａｓｉｃ  Ｓｅｒｖｉｃｅ  Ｓｅｔ、ＢＳＳ）、拡張サービスセット（Ｅｘｔｅｎｄｅｄ  Ｓｅｒｖｉｃｅ  Ｓｅｔ、ＥＳＳ）、Ｂノード、進化タイプＢノード（ｅＮＢ）、ホームＢノード、ホーム進化タイプＢノード、ＷＬＡＮアクセスポイント、無線フィデリティ（Ｗｉｒｅｌｅｓｓ  Ｆｉｄｅｌｉｔｙ、ＷｉＦｉ）ノード、または上記分野中に他の適切な用語と呼ばれることができ、同じ技術効果を達成する限り、上記の基地局は特定の技術用語に限定されず、本開示の実施例にはＮＲシステムの基地局のみが例として取り上げられているが、基地局の具体的なタイプが限定されないことを説明する必要がある。
【００２４】
基地局はベースステーションコントローラーによって制御されて、端末１１と通信することができ、各種の例示のうち、基地局コントローラーはコアネットワークまたは何らかの基地局の一部とすることができる。いくつかの基地局はバックホールを介して制御情報またはユーザデータを通信できる。いくつかの例示では、これらの基地局のいくつかは、バックホールリンクを介して直接または間接的に互いに通信してもよく、バックホールリンクは有線または無線通信リンクであってもよい。無線通信システムは複数のキャリア（異なる周波数の波形信号）上の操作をサポートすることができる。マルチキャリア送信機能は変調された信号を同時にこの複数のキャリア上で伝送することができる。例えば、各通信リンクは各種の無線電信技術に従って変調されたマルチキャリア信号であってもよい。各変調された信号は異なるキャリア上で送信されてもよく、制御情報（例えば、基準信号、制御チャネルなど）、オーバーヘッド情報、データなどを伝送できる。
【００２５】
基地局は１つまたは複数のアクセスポイントアンテナを介して端末１１と無線通信することができる。各基地局はそれぞれの対応するカバレッジ領域に通信カバレッジを提供することができる。アクセスポイントのカバー領域はカバー領域の一部のみを構成するセクタに分割することができる。無線通信システムは異なるタイプの基地局（例えば、マクロ基地局、ミクロ基地局、またはピコ基地局）を含むことができる。基地局はまた、セルラーまたはＷＬＡＮ無線電信アクセス技術のような異なる無線電信技術を利用することができる。基地局は同じまたは異なるアクセスネットワークまたはプロバイダー設定に関連付けることができる。異なる基地局のカバレッジエリア（同じまたは異なるタイプの基地局のカバレジエリア、同じまたは異なる無線電信技術を利用するカバレッジエリア、または同じまたは異なるアクセスネットワークに属するカバレッジエリアを含む）は重なることができる。
【００２６】
無線通信システムにおける通信リンクはアップリンク（Ｕｐｌｉｎｋ、ＵＬ）伝送（例えば、端末１１からネットワーク装置１２へ）を行うためのアップリンク、またはダウンリンク（Ｄｏｗｎｌｉｎｋ、ＤＬ）伝送（例えば、ネットワーク装置１２から端末１１へ）を行うためのダウンリンクを含んでもよい。ＵＬ搬送は逆方向リンク搬送とも呼ばれることができ、ＤＬ搬送は順方向リンク搬送とも呼ばれることができる。下り伝送では、ライセンスされた周波数帯域、ライセンスされていない周波数帯域、またはその両方を使用できる。同様に、アップリンク搬送は、許可された周波数帯域、非許可周波数帯域、または両方を使用してもよい。
【００２７】
当開示の実施例は図２に示すように、端末に適用される伝送指示信号の伝送方法を提供していて、次のものが含まれる。
【００２８】
ステップ２１：ネットワーク装置が占用している時間周波数リソースの一部のリソースで伝送指示信号を受信し、ここ、伝送指示信号が端末動作指示情報に従って対応する端末動作を実行するように、端末を指示するために使用される。
【００２９】
そのうち、端末動作指示情報は端末動作を指示するために使用される。ＮＲシステムを例にとると、ＮＲの非許可周波数帯域において、ネットワーク装置は下り情報を送信する前に、チャネルをセンシングする必要があり、アイドルチャネルを発見して成功的にそれを占用した後に下り情報を送信することができる。そのうち、伝送指示信号はネットワーク装置がアイドルチャネルの占用に成功したことを指示するために使用され、つまり、ネットワーク装置がアイドルチャネルの占用に成功した後、端末に伝送指示信号を送信し、端末ができるだけ早く伝送指示信号を検出できるように、また、端末が伝送指示信号を確実に受信できるように、ネットワーク装置は占用された周波数リソースの中で伝送指示信号を複数送信してもよい。このように、端末は伝送指示信号を受信した後、以前に受信した端末動作指示情報によって、対応する端末動作を実行することができる。
【００３０】
そのうち、端末動作指示情報は端末が対応する端末動作を実行する必要があることを指示するために使用され、端末動作指示情報はネットワーク装置が予め端末に設定されているものであり、具体的には、例えば、無線リソースの制御（Ｒａｄｉｏ  Ｒｅｓｏｕｒｃｅ  Ｃｏｎｔｒｏｌ、ＲＲＣ）シグなリング、またはメディアアクセス制御（Ｍｅｄｉｕｍ  Ａｃｃｅｓｓ  Ｃｏｎｔｒｏｌ、ＭＡＣ）制御ユニット（Ｃｏｎｔｒｏｌ  Ｅｌｅｍｅｎｔ、ＣＥ）などの上位層シグなリングを通じるがこれらに限定されない。
【００３１】
本開示の実施例の伝送指示信号は物理信号または物理チャネルの形式で送信することができる。例えば、伝送指示信号は、
ＰＤＣＣＨと、
ＰＤＣＣＨ復調参照信号（Ｄｅ−Ｍｏｄｕｌａｔｉｏｎ  Ｒｅｆｅｒｅｎｃｅ  Ｓｉｇｎａｌ、ＤＭＲＳ）と、
物理下り共有チャネル（Ｐｈｙｓｉｃａｌ  Ｄｏｗｎｌｉｎｋ  Ｓｈａｒｅ  Ｃｈａｎｎｅｌ、ＰＤＳＣＨ）のＤＭＲＳと、
チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）、
所定の系列とのうちのいずれか１つの形式で送信される。そのうち、所定の系列には、ＺＣ序列、Ｇｏｌｄ序列、ｍ序列の内少なくとも１つが含まれる。つまり、所定の系列は、ＺＣ序列、Ｇｏｌｄ序列或いはｍ序列、またはＺＣ序列、Ｇｏｌｄ序列とｍ序列のうちの複数の序列の集合である。或いは、所定の系列には、ＺＣ序列、Ｇｏｌｄ序列、ｍ序列の内少なくとも２つの変調によって形成される変調系列が含まれ、つまり、所定の系列はＺＣ序列、Ｇｏｌｄ序列及びｍ序列のうち少なくとも２つ序列の変調であってもよい。
【００３２】
つまり、伝送指示信号が物理チャネルで伝送される場合、ＰＤＣＣＨで送信されてもよい。伝送指示信号が物理信号で伝送される場合、ＰＤＣＣＨのＤＭＲＳ、ＰＤＳＣＨのＤＭＲＳ、ＣＳＩ−ＲＳ及び所定の系列のうち少なくとも１つによって送信されてもよい。
【００３３】
本開示の実施例の方法では、ステップ２１の前に、また、伝送指示信号を受信するための設定情報も含まれる。つまり、ネットワーク装置は、伝送指示信号に対して設定することができる。そのうち、設定情報は次の伝送指示信号の伝送サイクル、所在のタイムスロット（ｓｌｏｔ）、所在ｓｌｏｔの直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルの位置、所在ｓｌｏｔのＯＦＤＭ符号の数、所在ＯＦＤＭシンボルのリソースブロック（Ｒｅｓｏｕｒｃｅ  Ｂｌｏｃｋ、ＲＢ）及び疑似コロケーション（Ｑｕａｓｉ  Ｃｏ−Ｌｏｃａｔｉｏｎ、ＱＣＬ）関係のうち少なくとも１つが含まれるがこれらに限定されない。そのうち、ＱＣＬ関係は伝送指示信号と以下のうち少なくとも１つの疑似コロケーション即ち同期信号ブロック（Ｓｙｎｃｈｒｏｎｉｚａｔｉｏｎ  Ｓｉｇｎａｌ  ａｎｄ  ＰＢＣＨ  Ｂｌｏｃｋ、ＳＳＢ）、ディスカバリ信号（ｄｉｓｃｏｖｅｒｙ  ｓｉｇｎａｌ）及びＣＳＩ−ＲＳを含む。つまり、伝送指示信号をＳＳＢと疑似コロケーションに設定するか、または伝送指示信号を検出信号と疑似コロケーションに設定するか、または伝送指示信号をＣＳＩ−ＲＳと疑似コロケーションに設定することができる。
【００３４】
次に、この実施例では、異なる伝送形式の適用例示と結び付けて伝送指示信号について、さらに説明する。
【００３５】
例示１：伝送指示信号はＰＤＣＣＨで伝送される。
【００３６】
伝送指示信号がＰＤＣＣＨを介して送信される場合、伝送指示信号の設定情報は、ＰＤＣＣＨのセンシング周期、センシング持続時間、ｓｌｏｔオフセット、ｓｌｏｔのＯＦＤＭ符号、所在の制御リソースの集合ＣＯＲＥＳＥＴ、下り制御情報（Ｄｏｗｎｌｉｎｋ  Ｃｏｎｔｒｏｌ  Ｉｎｆｏｒｍａｔｉｏｎ、ＤＣＩ）フォーマット（ｆｏｒｍａｔ）、ＤＣＩサイズ（ｓｉｚｅ）、制御チャネル要素（Ｃｏｎｔｒｏｌ  Ｃｈａｎｎｅｌ  Ｅｌｅｍｅｎｔ、ＣＣＥ）のアグリゲーションレベル（Ａｇｇｒｅｇａｔｉｏｎ  ｌｅｖｅｌ、ＡＬ）とセンシングのＣＣＥ候補（ｃａｎｄｉｄａｔｅ）集合の内少なくとも１つが含まれる。
【００３７】
さらに、このＰＤＣＣＨについては、無線ネットワーク一時の識別（Ｒａｄｉｏ  Ｎｅｔｗｏｒｋ  Ｔｅｍｐｏｒａｒｙ  Ｉｄｅｎｔｉｔｙ、ＲＮＴＩ）を定義し、特定のＲＮＴＩを使用してこの伝送指示信号を送信する循環冗長チェック（Ｃｙｃｌｉｃ  Ｒｅｄｕｎｄａｎｃｙ  Ｃｈｅｃｋ、ＣＲＣ）スクランブリングを実行する。端末は伝送指示信号であるＰＤＣＣＨのＤＣＩを検出した後、そのうちの指示に基づいて、ネットワーク装置の占用される信号の送信に使用されるチャネルの開始時間（期間）、持続時間、及び終了時間（期間）を取得する。端末はこの終了時間（期間）に応じて、下り受信をいつ停止できるかを決定してもよい。
【００３８】
例示２、伝送指示信号はＰＤＣＣＨのＤＭＲＳで送信される。
【００３９】
ネットワーク装置が空きチャネルを占用してから、チャネル占用の時間（Ｃｈａｎｎｅｌ  Ｏｃｃｕｐａｎｃｙ  Ｔｉｍｅ、ＣＯＴ）内に、周期的にこのＰＤＣＣＨのＤＭＲＳを送信し、端末がこのＰＤＣＣＨのＤＭＲＳを検出すると、ネットワーク装置がチャネルリソースを獲得したと見なして送信してもよく、それによって、端末が後続の受信を行うことができる。
【００４０】
このＰＤＣＣＨのＤＭＲＳは帯域幅ＤＭＲＳであり、即ち、制御リソースセット（Ｃｏｎｔｒｏｌ  Ｒｅｓｏｕｒｃｅ  ｓｅｔ、ＣＯＲＥＳＥＴ）内の各ＲＢにもＰＤＣＣＨのＤＭＲＳがある。そのうち、ＰＤＣＣＨのＤＭＲＳ所在のＣＯＲＥＳＥＴの時間領域位置は、例えば、各ｓｌｏｔの０番目及び／または７番目のＯＦＤＭ符号がこのＣＯＲＥＳＥＴの開始位置であることが予め定義されてもよい。
【００４１】
さらに、帯域幅ＤＭＲＳは制御リソースセットＣＯＲＥＳＥＴにおいて連続するリソースブロックＲＢのリソースエレメントグループ（Ｒｅｓｏｕｒｃｅ  Ｅｌｅｍｅｎｔ  Ｇｒｏｕｐ、ＲＥＧ）にマッピングされ、且つ、ＣＯＲＥＳＥＴのプリコーディング粒子度（Ｐｒｅｃｏｄｅｒ  Ｇｒａｎｕｌａｒｉｔｙ）はＣＯＲＥＳＥＴに含まれるＲＢの数と同じである。
【００４２】
この伝送指示信号の設定情報はＰＤＣＣＨのＤＭＲＳが所在のＣＯＲＥＳＥＴ及び／またはＣＯＲＥＳＥＴの時間領域位置を含む。つまり、ＰＤＣＣＨ−ＤＭＲＳのＣＯＲＥＳＥＴの時間周波数リソース位置は、事前に定義できるか、また、上位層シグナリングを介して設定するなど、ネットワーク装置によって設定することもできるかである。このＰＤＣＣＨを送信するためのＤＭＲＳのＣＯＲＥＳＥＴの時間リソースは周期的であっても良い。つまり、ネットワーク装置は固定の周期で端末に伝送指示信号を送信してもよい。
【００４３】
例えば、図３に示すように、ネットワーク装置はチャネルを占用した後のＣＯＴ内で、７つまたは１４つのＯＦＤＭシンボルごとに周期的に、各ｓｌｏｔの０番目及び／または７番目のＯＦＤＭシンボル上でこのＰＤＣＣＨのＤＭＲＳを送信し、この周期は、事前に定義されているか、または、上位層シグナリングによって設定されてもよい。ＰＤＣＣＨのＤＭＲＳのＣＯＲＥＳＥＴは２つのＯＦＤＭ符号を占用していて、帯域幅が４８ＲＢのＣＯＲＥＳＥＴでありうる。
【００４４】
例示３、伝送指示信号はＰＤＳＣＨのＤＭＲＳまたはＣＳＩ−ＲＳで送信される。
【００４５】
ネットワーク装置はチャネル占用しているＣＯＴ内にてＰＤＳＣＨのＤＭＲＳ／ＣＳＩ−ＲＳを送信し、端末は、ＰＤＳＣＨのＤＭＲＳ／ＣＳＩ−ＲＳを検出すると、ネットワーク装置はアイドルチャネルリソースを獲得して送信できると見なされ、これにより、端末は後続の受信を行うことができる。
【００４６】
そのうち、ＰＤＳＣＨのＤＭＲＳ或いはＣＳＩ−ＲＳの時間領域位置は、例えば、各ｓｌｏｔの３番目及び１０番目のＯＦＤＭシンボルに固定して送信するように予め定義されていてもよい。或いは、ＰＤＳＣＨのＤＭＲＳまたはＣＳＩ−ＲＳの時間領域位置はネットワーク装置によって設定され得る。このＰＤＳＣＨを送信するためのＤＭＲＳまたはＣＳＩ−ＲＳの時間リソースは周期的であってもよく、つまり、ネットワーク装置は固定の周期で端末に伝送指示信号を送信してもよい。
【００４７】
例えば、図４に示すように、ネットワーク装置はチャネルを占用した後のＣＯＴ内で、７つまたは１４つのＯＦＤＭシンボルごとに周期として、各ｓｌｏｔの３番目及び１０番目のＯＦＤＭシンボル上でこのＰＤＳＣＨのＤＭＲＳまたはＣＳＩ−ＲＳを送信し、この周期は、事前に定義されているか、または、上位層シグナリングによって設定されてもよい。そのうち、ネットワーク装置はこのＰＤＳＣＨのＤＭＲＳまたはＣＳＩ−ＲＳを送信する場合、フル帯域幅送信、シングルポート送信、またはマルチポート送信として事前に定義できる。または、ネットワーク装置は、このＰＤＳＣＨのＤＭＲＳまたはＣＳＩ−ＲＳ送信で占用しているＲＢ、及び対応するポート数、スクランブリング識別子（Ｉｄｅｎｔｉｆｉｅｒ、ＩＤ）などを上位層シグナリングによって設定することもできる。
【００４８】
具体的には、伝送指示信号がＰＤＳＣＨのＤＭＲＳを介して送信される場合、伝送指示信号の設定情報は、ＰＤＳＣＨのＤＭＲＳが所在のＯＦＤＭ符号及び／またはＯＦＤＭシンボル上のＲＢを含む。例えば、このＰＤＳＣＨのＤＭＲＳは伝送チャネル帯域幅の対応するＯＦＤＭ符号上のＲＢの一部或いは全部で送信される。
【００４９】
伝送指示信号はＣＳＩ−ＲＳを介して送信する場合、伝送指示信号の設定情報には、ＣＳＩ−ＲＳのポートの数、周期、所在の時間領域位置、所在の周波数領域位置、密度、及び符号分割多重（Ｃｏｄｅ  Ｄｉｖｉｓｉｏｎ  Ｍｕｌｔｉｐｌｅ、ＣＤＭ）タイプ（ｔｙｐｅ）、電力サイズ、時間領域位置のＲＢ、スクランブリングＩＤ及び送信設定インジケーター（Ｔｒａｎｓｍｉｓｓｉｏｎ  Ｃｏｎｆｉｇｕｒａｔｉｏｎ  Ｉｎｄｉｃａｔｏｒ、ＴＣＩ）状態の内少なくとも１つが含まれる。例えば、このＣＳＩ−ＲＳは伝送チャネル帯域幅の対応するＯＦＤＭ符号上のＲＢの一部または全部で送信される。また、ＣＳＩ−ＲＳはトラッキング参照信号（Ｔｒａｃｋｉｎｇ  Ｒｅｆｅｒｅｎｃｅ  Ｓｉｇｎａｌ、ＴＲＳ）として設定できる。
【００５０】
例示４、伝送指示信号は所定の系列で送信する。
【００５１】
伝送指示信号が所定の系列で送信される場合、伝送指示信号の設定情報には、所定の系列の生成パラメーター、周期、所在の時間領域リソース（システムフレームｆｒａｍｅ、サブフレームｓｕｂｆｒａｍｅ、タイムスロットｓｌｏｔ、ＯＦＤＭ符号など）、電力サイズ及び所定の系列の伝送リソースの内少なくとも１つが含まれる。例えば、そのリソースが占用する時間周波数リソースを１回送信すると、１つのＯＦＤＭシンボル上の複数のＲＢを占有したり、または１つのｓｌｏｔ（スロット）上の複数のＯＦＤＭシンボル上の１つのＲＢで送信したりすることができる。
【００５２】
そのうち、所定の系列の生成パラメーターは、ネットワーク装置のチャネル占用時間ＣＯＴの時間情報に関連し、時間情報は、ＣＯＴの開始時刻、持続時間、及び終了時刻のうち少なくとも１つを含む。そのうち、ＣＯＴの開始時刻はＣＯＴの開始時間（セグメント）とも呼ばれ、ＣＯＴの終了時刻はまた、ＣＯＴの終了時間（セグメント）とも呼ばれる。端末は所定の系列の検出に基づいて、例えば、ＣＯＴの開始時刻、持続時間、終了時刻などのネットワーク装置によって現在送信されているＣＯＴ情報を取得することができる。
【００５３】
所定の系列は図５に示すように、ネットワーク装置のＣＯＴにおいて周期的に送信され、ＣＯＴにいては、７または１４ＯＦＤＭ符号を周期として送信される。その中で、送信周期、時間領域リソースの位置は、上位層のシグナリングによって設定できる。
【００５４】
所定の系列はまた、チャネル帯域幅内の物理リソースブロック（Ｐｈｙｓｉｃａｌ  Ｒｅｓｏｕｒｃｅ  Ｂｌｏｃｋ、ＰＲＢ）の一部で伝送することもできる。つまり、一部のＰＲＢは送信用の所定の系列用に特別に予約されて送信されており、この所定の系列はこのＲＢ帯域幅内で、時間方向に繰り返し送信されてもよく、及び／または、最初に周波数、そして時間方向の系列でマッピングされてもよい。図６に示すように、所定の系列は１つのＲＢで送信される。また、所定の系列は複数のＲＢで送信されてもよく、複数のＲＢは連続または不連続であっても良い。送信されるＲＢ（ｓ）は事前に定義されてもよく、または上位層シグナリングによって設定されても良い。
【００５５】
１、仮に伝送指示信号がｍ系列で伝送されると、伝送指示信号の生成式は次の通りである。
【数１】
2022500951.tif 000003
【００５６】
そのうち、ｍ＿０とｍ＿１は循環シフト値で、０≦ｎ＜Ｍ、Ｍは系列長さを示す。循環シフト値及び系列長さは、予め定義されたものであってもよく、または上位層シグナリングによって設定されてもよい。この循環シフト値は、セルＩＤに関連することができる。さらに、異なるｍ系列の循環シフト値は、ＣＯＴの開始時間（セグメント）、ＣＯＴの持続時間、ＣＯＴの終了時間（セグメント）などを含むＣＯＴの情報と相関してもよい。端末はそのＣＯＴの終了時間（期間）に応じて、いつ下り受信を停止できるかを決定することができる。
【００５７】
例えば、以下通りのセカンダリ同期信号（Ｓｅｃｏｎｄａｒｙ  Ｓｙｎｃｈｒｏｎｉｚａｔｉｏｎ  Ｓｉｇｎａｌ、ＳＳＳ）と同様に多項式を生成することができる。
【数２】
2022500951.tif 000004
Ｍが１２７より大きい場合、最初の１２７の系列シンボルはＳＳＳと同じであるため、端末は既存のＳＳＳによる測定モジュールを使用して１２７のリソースエレメント（Ｒｅｓｏｕｒｃｅ  Ｅｌｅｍｅｎｔ、ＲＥ）に測定できる。Ｍ＝１２７の場合、この序列はＳＳＳ序列と全く同じであるが、ＳＳＳは従来のＳＳＢの構造ではないため、つまり、隣接するリソースには主同期信号（Ｐｒｉｍａｒｙ  Ｓｙｎｃｈｒｏｎｉｚａｔｉｏｎ  Ｓｉｇｎａｌ、ＰＳＳ）、ＰＢＣＨ、ＰＢＣＨ−ＤＭＲＳが所在しないので、この信号を１つのＳＳＳと見なすことができないということを説明する必要がある。このｍ系列は、時間及び／または周波数方向に離散的または連続的なリソースで送信され得る。
【００５８】
２、仮に伝送指示信号はＺＣ系列で伝送されると、ＺＣ系列のルートインデックス、系列グループ番号、序列番号、または循環シフト値は事前定義であり、または上位層シグなリングによって設定される。そのうち、この循環シフト値は、セルＩＤに関連することができる。さらに、異なるＺＣ系列のルートインデックス、系列グループ番号、序列番号、または循環シフト値は、ＣＯＴの開始時間（セグメント）、ＣＯＴの持続時間、及び／またはＣＯＴの終了時間（セグメント）などの内少なくとも１つを含むＣＯＴの情報と相関してもよい。端末はこのＣＯＴの終了時間（期間）に応じて、いつ下り受信を停止できるかを決定することができる。このＺＣ系列は、時間及び／または周波数方向に離散的または連続的なリソースで送信され得る。
【００５９】
３、仮に、伝送指示信号がＧｏｌｄ序列で送信されると、このＧｏｌｄ序列の初期化方式は、少なくとも以下のうち一つに関連している。ＣＯＴの開始時間（セグメント）、ＣＯＴの持続時間、ＣＯＴの終了時間（セグメント）、ｃｅｌｌ  ＩＤ、この系列が所在のＯＦＤＭシンボルの番号など。端末はこのＣＯＴの終了時間（セグメント）に応じて、いつ下り受信を停止できるかを決定することができる。例えば、
【数３】
2022500951.tif 000005
【００６０】
そのうち、ＴＣＯＴはＣＯＴ内の関連情報であり、例えば、このＣＯＴの終了を指示するｓｌｏｔ、端末はこの系列をブラインドで検査し、そのＴＣＯＴ値を検出結果に基づいて決定し、それゆえに、ＣＯＴの終了ｓｌｏｔを決定し、この（ＣＯＴの）終了ｓｌｏｔの後、端末は下りＰＤＣＣＨまたはＰＤＳＣＨなどの受信及び下りＲＳに基づく測定を行わなくてもよい。
【００６１】
４、仮に、伝送指示信号は変調系列の形式で送信されると、例えば、この伝送指示信号は少なくとも２つの序列の変調した変調系列である。この２つの系列は、ｍ系列、ＺＣ系列、及びＧｏｌｄ  系列の内少なくとも２つであることができる。ここでいう変調は、ビットレベルでの２つのバイナリ系列のモジュール２干渉、即ち、スクランブリングを意味する。または、シンボルレベルの変調を示す。例えば、２つの系列のうち少なくとも１つをシンボルにマッピングしたシンボルレベルの乗算のようなものである。例えば、２つのｍ系列のシンボルレベルの乗算、ＺＣ系列及びＧｏｌｄ序列の符号レベルの乗算。例えば、ｄ  １とｄ  ２は２つの異なるビット系列または符号系列のｄ  （ｎ）  ＝ｄ１（ｎ）・ｄ２（ｎ）  であり、そのうち、０≦ｎ≦Ｎ−１であり、Ｎは系列の長さである。
【００６２】
そのうち、端末の動作が不連続受信（Ｄｉｓｃｏｎｔｉｎｕｏｕｓ  Ｒｅｃｅｐｔｉｏｎ、ＤＲＸ）している場合、端末は、ただＤＲＸのアクティブ期間（ａｃｔｉｖｅまたはＯｎ  ｄｕｒａｔｉｏｎ）のタイムセグメント内に伝送指示信号を検出するだけでよいことを指摘しておく価値がある。図７に示すように、ネットワーク装置は取得したアイドルチャネルは第１のｓｕｂｆｒａｍｅ（サブフレーム）から開始され、端末のＤＲＸ＿ａｃｔｉｖｅ時間は第２のｓｕｂｆｒａｍｅから開始されると、端末はＤＲＸａｃｔｉｖｅの期間のみ伝送指示信号の検出を行う必要がある。ネットワーク装置は、異なるＤＲＸａｃｔｉｖｅ  ｔｉｍｅの端末が、伝送指示信号を早期に検出できるように、占用された信号伝送のために使用されるチャネル内で周期的に繰り返し送信する必要がある。
【００６３】
さらに、端末は、伝送指示信号を受信した後、すなわち、ステップ２１の後に、また、下り物理信号または下り物理チャネルを受信することを含み、そのうち、下り物理信号または下り物理チャネルは、伝送指示信号の送信リソースと重ならない。ネットワーク装置によってスケジューリングされた下り物理信号や下り物理チャネルリソースが、この伝送指示信号によって占用された部分ＲＥ／ＲＢリソースと同じであると仮定すれば、下り物理信号或いは下り物理チャネルは、これらのＲＥ／ＲＢにマッピングされず、端末は、下り物理信号または下り物理チャネルがこれらのＲＥ／ＲＢリソースにレート整合していると見なしている。そのうち、下り物理チャネルは、物理下りブロードキャストチャネル（Ｐｈｙｓｉｃａｌ  Ｂｒｏａｄｃａｓｔ  Ｃｈａｎｎｅｌ、ＰＢＣＨ）、ＰＤＣＣＨ、及びＰＤＳＣＨのうち少なくとも１つを含む。
【００６４】
本開示の実施例の内、端末動作指示情報は、ネットワーク装置が上位層シグナリングまたはメディアアクセスによってＭＡＣ制御ユニットＣＥを制御して送信するものであってもよく、端末動作指示情報は以下の行為のうち少なくとも１つを実行するように、端末を指示するために使用される。
【００６５】
ＰＤＣＣＨをセンシングする。
【００６６】
ＣＳＩ測定は、例えば、チャネル及び／または干渉測定は層１の参照信号受信電力（Ｌａｙｅｒ  １  Ｒｅｆｅｒｅｎｃｅ  Ｓｉｇｎａｌ  Ｒｅｃｅｉｖｅｄ  Ｐｏｗｅｒ、Ｌ  １−ＲＳＲＰ）、チャネル品質指示（Ｃｈａｎｅｌ  Ｑｕａｌｉｔｙ  Ｉｎｄｉｃａｔｏｒ、ＣＱＩ）、プリコーディング行列指示（Ｐｒｅｃｏｄｉｎｇ  Ｍａｔｒｉｘ  Ｉｎｄｉｃａｔｏｒ、ＰＭＩ）、及びランク指示（Ｒａｎｋ  Ｉｎｄｉｃａｔｉｏｎ、ＲＩ）などを含む。
【００６７】
無線リソース管理（Ｒａｄｉｏ  Ｒｅｓｏｕｒｃｅ  Ｍａｎａｇｅｍｅｎｔ、ＲＲＭ）測定は、例えば、参照信号受信電力（Ｒｅｆｅｒｅｎｃｅ  Ｓｉｇｎａｌ  Ｒｅｃｅｉｖｅｄ  Ｐｏｗｅｒ、ＲＳＲＰ）、参照信号受信品質（Ｒｅｆｅｒｅｎｃｅ  Ｓｉｇｎａｌ  Ｒｅｃｅｉｖｅｄ  Ｑｕａｌｌｙ、ＲＳＲＱ）及び受信信号の強度指示（Ｒｅｃｅｉｖｅｄ  Ｓｉｇｎａｌ  Ｓｔｒｅｎｇｔｈ  Ｉｎｄｉｃａｔｏｒ）など。
ビーム管理（Ｂｅａｍ  ｍａｎａｇｅｍｅｎｔ）測定。
無線リンク監視、及び、
ビーム失敗検出。
【００６８】
当開示の実施例の伝送指示信号の送信方法では、端末は伝送指示信号を受信した後、端末動作指示情報に基づいて、不必要な行為の試みることを免れるために、対応の端末動作を実行し、それによって、伝送性能を向上させ、端末の電力消費を節約することができる。
【００６９】
以上の実施例では、異なるシーンにおける伝送指示信号の伝送方法をそれぞれ詳細に説明したが、次に、本実施例では、付録図と結び付けて、その対応する端末についてさらに説明する。
【００７０】
図８に示すように、本開示の実施例の端末８００は、上記の実施例に於いてネットワーク装置によって占用される時間周波数リソースの一部で伝送指示信号の受信を実現することができ、ここ、伝送指示信号は、端末動作指示情報に従って対応する端末動作を実行するように、端末を指示するために使用され、端末動作指示情報は、端末動作の詳細や方法を指示するために使用され、そして同様の効果を達成する。この端末８００は、具体的には、以下の機能モジュールを含む。
【００７１】
第１受信モジュール８１０は、ネットワーク装置によって占用される時間周波数リソースのうちの一部のリソース上で伝送指示信号を受信するために使用され、伝送指示信号は、端末動作指示情報に従って対応する端末動作を実行するように、端末を指示するために使用され、端末動作指示情報は端末動作を指示するために使用される。
【００７２】
そのうち、伝送指示信号は、
物理下り制御チャネルＰＤＣＣＨと、
ＰＤＣＣＨの復調参照信号ＤＭＲＳと、
物理下り共有チャネルＰＤＳＣＨのＤＭＲＳと、
チャネル状態情報の参照信号ＣＳＩ−ＲＳと、
所定の系列とのうちの１つによって送信される。
【００７３】
そのうち、所定の系列はＺＣ序列、Ｇｏｌｄ序列、ｍ序列のうち少なくとも１つを含み、または所定の系列はＺＣ序列、Ｇｏｌｄ序列、ｍ序列のうち少なくとも２つの変調によって形成される変調系列を含む。
【００７４】
そのうち、ＰＤＣＣＨのＤＭＲＳは帯域幅ＤＭＲＳである。
【００７５】
そのうち、帯域幅ＤＭＲＳは、制御リソースセットＣＯＲＥＳＥＴにおいて連続するリソースブロックＲＢのリソースエレメントグループＲＥＧの上にマッピングされ、且つ、ＣＯＲＥＳＥＴのプリコーディング粒子度は、ＣＯＲＥＳＥＴに含まれるＲＢの数と同じである。
【００７６】
そのうち、ＰＤＣＣＨのＤＭＲＳが所在のＣＯＲＥＳＥＴの時間領域位置は予め定義されたものである。
【００７７】
そのうち、ＰＤＳＣＨのＤＭＲＳまたはＣＳＩ−ＲＳの時間領域位置は予め定義されたものである。
【００７８】
そのうち、端末８００はまた、以下のものが含まれる。
【００７９】
第２受信モジュールは、伝送指示信号の設定情報を受信するために使用される。
【００８０】
そのうち、設定情報は、伝送指示信号の伝送周期、所在のタイムスロットｓｌｏｔ、所在のｓｌｏｔにおけるＯＦＤＭシンボル位置、所在のｓｌｏｔにおけるＯＦＤＭシンボル数、所在ＯＦＤＭシンボル上のリソースブロックＲＢ、および疑似コロケーションＱＣＬ関係のうち少なくとも１つを含む。
【００８１】
そのうち、ＱＣＬ関係は伝送指示信号と以下のうち少なくとも１つの疑似コロケーション、即ち同期信号ブロックＳＳＢ、ディスカバリ信号及びＣＳＩ−ＲＳを含む。
【００８２】
そのうち、伝送伝送指示信号がＰＤＣＣＨを介して送信される場合、設定情報は、ＰＤＣＣＨのセンシング周期、センシング持続時間、ｓｌｏｔオフセット、ｓｌｏｔうちのＯＦＤＭシンボル、所在の制御リソースセットＣＯＲＥＳＥＴ、下り制御情報ＤＣＩフォーマット、ＤＣＩサイズ、制御チャネル要素ＣＣＥのアグリゲーションレベルＡＬ、及びセンシングするＣＣＥ候補集合のうち少なくとも１つを含む。
【００８３】
そのうち、伝送指示信号はＰＤＣＣＨのＤＭＲＳを介して送信する場合、設定情報はＰＤＣＣＨのＤＭＲＳが所在のＣＯＲＥＳＥＴ及び／またはＣＯＲＥＳＥＴの時間領域位置を含む。
【００８４】
そのうち、伝送指示信号はＰＤＳＣＨのＤＭＲＳを介して送信される場合、設定情報は、ＰＤＳＣＨのＤＭＲＳが所在ＯＦＤＭ符号及び／またはＯＦＤＭシンボル上のＲＢを含む。
【００８５】
そのうち、伝送指示信号がＣＳＩ−ＲＳを介して伝送される場合、設定情報は、ＣＳＩ−ＲＳのポート数、周期、所在の時間領域位置、所在の周波数領域位置、密度、符号分割多重ＣＤＭタイプ、電力サイズ、時間領域位置のＲＢ、スクランブリングＩＤ、及び送信制御面ＴＣＩ状態のうち少なくとも１つを含む。
【００８６】
そのうち、伝送指示信号が所定の系列で送信される場合、設定情報には、所定の系列の生成パラメーター、周期、所在の時間領域リソース、電力サイズ及び所定の系列の伝送リソースの内少なくとも１つが含まれる。
【００８７】
そのうち、所定の系列の生成パラメーターは、ネットワーク装置のチャネルによって占用されている時間ＣＯＴの時間情報に関連し、時間情報は、ＣＯＴの開始時刻、持続時間、及び終了時刻のうち少なくとも１つを含む。
【００８８】
そのうち、端末８００はまた、以下のものが含まれる。
【００８９】
第３受信モジュールは、下り物理信号または下り物理チャネルを受信するために使用され、そのうち、下り物理信号または下り物理チャネルは、伝送指示信号の送信リソースと重ならない。
【００９０】
そのうち、下り物理チャネルは、物理下りブロードキャストチャネルＰＢＣＨ、ＰＤＣＣＨ、及びＰＤＳＣＨのうち少なくとも１つを含む。
【００９１】
そのうち、端末動作指示情報は、ネットワーク装置が上位層シグナリングまたはメディアアクセスによってＭＡＣ制御ユニットＣＥを制御して送信するものであり、端末動作指示情報は以下の動作のうち少なくとも１つを実行するように、端末を指示するために使用される。
ＰＤＣＣＨをセンシングする。
ＣＳＩ測定。
無線リソース管理ＲＲＭ測定。
ビーム管理測定、
無線リンク監視、及び、
ビーム失敗検出。
【００９２】
本開示の実施例の端末は、伝送指示信号を受信した後、端末動作指示情報に従って、不必要な行為の試みることを免れるために、対応の端末動作を実行することを指摘しておく価値がある。それによって、送信性能を向上させ、端末の電力消費を節約することができる。
【００９３】
上記の目的をより良く実現するために、図９は、本開示の各実施例を実現するための端末のハードウェア構造の略図であり、この端末９０は、無線周波数ユニット９１、ネットワークモジュール９２、オーディオ出力ユニット９３、入力ユニット９４、センサ９５、ユニット表示９６、ユーザ入力ユニット９７、インターフェースユニット９３、メモリ９９、プロセッサー９１０、及び電源９１１などの部品を含むがこれらに限定されない。当業界の技術者は、図９に示す端末構造は端末に対する限定を構成するものではなく、端末は、図示しているよりも多くまたは少ない部品、またはいくつかの部品を組み合わせたり、あるいは異なる部品設定を含んでもよいことが理解できる。本開示の実施例には端末は、携帯電話、タブレット、ノートパソコン、ハンドヘルド、車載端末、装着可能機器、歩数計などを含むがこれらに限定しない。
【００９４】
そのうち、無線周波数ユニット９１は、プロセッサ９１０によって制御されてデータを送受信するために使用され、具体的には、ネットワーク装置が占用している時間周波数リソースの一部リソースで、伝送指示信号を受信する。上記の伝送指示信号は端末動作指示情報に従って、対応の端末動作を実行するように、上記の端末を指示するために使用され、この端末動作の指示情報は端末動作を指示するために使用される。
【００９５】
当開示の実施例の端末は伝送指示信号を受信した後、端末動作（行動）の指示情報に基づいて、不必要な行為の試みることを免れるために、対応の端末動作を実行し、それゆえに、伝送性能を向上させ、端末の電力消費を節約することができる。
【００９６】
本開示の実施例の内、無線周波数ユニット９１は、情報の送受信または通話中で信号を送受信するために使用できることを理解するべきである。具体的には、基地局からの下りデータを受信してから、プロセッサ９１０によって処理される。また、アップリンクデータを基地局に送信する。通常、無線周波数ユニット９１は、アンテナ、少なくとも１つの増幅器、送受信機、カプラー、低雑音増幅器、デュプレクサなどを含むがこれらに限定されない。さらに、無線周波数ユニット９１は、無線通信システムを介してネットワーク及び他の装置と通信することもできる。
【００９７】
端末は、ネットワークモジュール９２を介して、ユーザに電子メールの送受信、ウェブページの閲覧、ストリーミングメディアへのアクセスなどの無線ブロードバンドインターネットアクセスを提供している。
【００９８】
オーディオ出力ユニット９３は、無線周波数ユニット９１またはネットワークモジュール９２が受信された、またはメモリ９９に記憶されたオーディオデータをオーディオ信号に変換して音声として出力することができる。また、オーディオ出力ユニット９３は、端末９０が実行する特定の機能に関連したオーディオ出力（例えば、呼び出し信号が音声を受信させ、メッセージが音声を受信させるなど）を提供することもできる。オーディオ出力ユニット９３は、スピーカ、ブザー、及び受話器などを含む。
【００９９】
入力ユニット９４は、オーディオまたはビデオ信号を受信するために使用される。入力ユニット９４は、グラフィックスプロセッサ（Ｇｒａｐｈｉｃｓ  Ｐｒｏｃｅｓｓｉｎｇ  Ｕｎｉｔ、  ＧＰＵ）９４１及びマイクロフォン９４２を含むことができ、グラフィックスプロセッサ９４１はビデオキャプチャモードまたは画像キャプチャモードにおいて、カメラなどの画像キャプチャ装置によって得られた静止写真またはビデオの画像データを処理する。処理された画像フレームは、表示ユニット９６に表示されてもよい。グラフィックプロセッサ９４１によって処理された画像フレームは、メモリ９９（または他の記憶媒体）に保存されてもよく、または無線周波数ユニット９１またはネットワークモジュール９２を介して送信されてもよい。マイク９４２は、音声を受信し、このような音声をオーディオデータに処理することができる。処理されたオーディオデータは、電話の通話モードの場合、無線周波数ユニット９１を介して移動通信基地局に送信可能なフォーマット出力に変換することができる。
【０１００】
端末９０はまた、光センサー、運動センサー、及び他のセンサーのような少なくとも１つのセンサー９５を含む。具体的には、光センサーは、環境光センサー及び近接センサーを含み、そのうち、環境光センサーは、環境光の明暗に応じて表示パネル９６１の明るさを調整してもよく、近接センサーは、端末９０が耳元に移動すると、表示パネル９６１及び／またはバックライトをオフにすることができる。運動センサーの一種として、加速度計センサーは各方向（一般的には３軸）の加速度の大きさを検出し、静止時に重力の大きさや方向を検出し、端末の姿勢（例えば、縦横スクリーン切り替え、関連ゲーム、磁力計の姿勢調整）、振動識別に関連する機能（例えば、歩数計、叩く）などを識別するために使用することができ、センサー９５はさらに指紋センサー、圧力センサー、虹彩センサー、分子センサー、ジャイロスコープ、気圧計、湿度計、温度計、赤外線センサーなどを含むことができ、ここでは余計に説明する必要がない。
【０１０１】
表示ユニット９６は、ユーザによって入力された情報またはユーザに提供した情報を表示するために使用される。表示ユニット９６は、表示パネル９６１を含むことができ、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル９６１を設定することができる。
【０１０２】
ユーザ入力ユニット９７は、入力された数字や文字情報の受信に使用され、及び端末のユーザ設定や機能制御に関するキー信号入力を生成するために使用される。具体的には、ユーザ入力ユニット９７は、タッチパネル９７１及び他の入力装置９７２を含む。タッチパネル９７１は、タッチスクリーンとも呼ばれ、ユーザがその上または近くでタッチ操作（例えば、ユーザが指、タッチペンなどの如何なる適応の物体または付属品を使用してタッチパネル９７１またはタッチパネル９７１付近での操作）を収集することができる。タッチパネル９７１は、タッチ検出装置とタッチコントローラーの両方の部分を含むことができる。そのうち、タッチ検出装置は、ユーザのタッチ方位を検出し、タッチ操作による信号を検出してタッチコントローラーに信号を送信する。一方では、タッチコントローラーはタッチ検出装置からタッチ情報を受信してから、コンタクト座標に変換してプロセッサ９１０に送信し、プロセッサ９１０からのコマンドを受信してから実行する。また、抵抗式、コンデンサー式、赤外線及び表面音響波など様々なタイプを採用してタッチパネル９７１を実現することができる。タッチパネル９７１の他に、ユーザ入力部９７は、また、他の入力装置９７２を含むことができる。具体的には、他の入力装置９７２は、物理キーボード、機能キー（例えば、音量制御ボタン、スイッチボタンなど）、トラックボール、マウス、操作レバーを含むがこれらに限定されなく、ここでは贅言を要しない。
【０１０３】
さらに、タッチパネル９７１は、タッチパネル９６１の上に覆われてもよく、タッチパネル９７１がその上または付近でのタッチ操作を検出してから、プロセッサ９１０に伝送してタッチイベントの種類を決定し、その後、プロセッサ９１０は、タッチイベントの種類に応じて、対応する視覚出力を表示パネル９６１に提供する。図９には、タッチパネル９７１と表示パネル９６１は、２つのそれぞれ独立した部品として端末の入出力機能を実現しているが、いくつかの実施例では、タッチパネル９７１と表示パネル９６１を集成してから端末の入出力機能を実現することができ、具体的にはここでは限定をしない。
【０１０４】
インターフェースユニット９３は、外部装置と端末９０を接続するインターフェースである。例えば、外部装置は、有線または無線のヘッドセットポート、外部電源（またはバッテリー充電器）ポート、有線または無線データポート、メモリカードポート、識別モジュールを有するデバイスを接続するためのポート、オーディオ入出力（Ｉｎｐｕｔ／Ｏｕｔｐｕｔ、Ｉ／Ｏ）ポート、ビデオＩ／Ｏポート、ヘッドホンポートなどを含むことができる。インターフェースユニット９３は、外部装置からの入力（例えば、データ情報、電力など）を受信するために使用され、受信した入力を端末９０内の１つまたは複数のコンポーネントに送信したり、或いは端末９０と外部装置との間でデータを伝送したりするために使用されてもよい。
【０１０５】
メモリ９９は、ソフトウェアプログラム及び各種データを記憶するために使用されてもよい。メモリ９９は、主に、ストアードプログラムエリア及び記憶データエリアを含むことができる。そのうち、ストアードプログラムエリアはオペレーティングシステム、少なくとも１つの機能に必要なアプリケーション（例えば、音声再生機能、画像再生機能など）などを記憶することができ、記憶データエリアは、携帯電話の使用に応じて作成するデータ（例えば、オーディオデータ、電話帳など）などを記憶することができる。また、メモリ９９は高速ランダムアクセスメモリを含み、まだ、少なくとも１つの磁気ディスク記憶装置、フラッシュメモリ装置、または他の揮発性固体記憶装置などの不揮発性メモリを含むことができる。
【０１０６】
プロセッサ９１０は端末の制御センターであり、端末全体の各部を種々のインターフェースと回線で接続し、メモリ９９に記憶されているソフトウェアプログラム及び／またはモジュールを稼働または実行することによって、及びメモリ９９に記憶されているデータを呼び出し、端末の各種機能及びデータの処理を実施することによって、端末全体を監視する。プロセッサ９１０は、１つまたは複数の処理ユニットを含むことができ、オプションとして、プロセッサ９１０は、アプリケーションプロセッサと変調復調プロセッサを集成することができる。そのうち、アプリケーションプロセッサは主に操作システム、ユーザインタフェース、及びアプリケーションなどを処理し、変調復調プロセッサは、主に無線通信を処理する。上記の変調復調プロセッサは、プロセッサ９１０に集成されなくてもよいことが理解され得る。
【０１０７】
端子９０はまた、各部品に電力を供給するための電源９１１（バッテリーなど）を含み得る。オプションとして、電源９１１は、電源管理システムを介してプロセッサ９１０に論理的に接続され得る。それによって、電源管理システムを介して充電、放電、電力消費管理などの機能を実現する。
【０１０８】
また、端末９０は、示さない機能モジュールを含み、ここでは説明を省略する。
【０１０９】
オプションとして、本開示の実施例は、また、端末を提供し、プロセッサ９１０、メモリ９９、メモリ９９に記憶され、上記のプロセッサ９１０によって実行されてもよいコンピュータプログラムを含む。このコンピュータプログラムは、プロセッサ９１０によって実行されると、上記の伝送指示信号の送信方法の実施例の各プロセスを実現し、且つ、同じ技術効果を達成することができ、繰り返しないためにここでは贅言を要しない。そのうち、端末は無線端末であってもよく、有線端末であってもよい。無線端末は、ユーザに音声及び／または他の業務データを提供する接続性デバイスを指してもよく、そして、無線接続機能を有するハンドヘルドデバイス、または無線モデムに接続された他の処理デバイスであってもよい。無線端末は無線アクセスでネットワーク（Ｒａｄｉｏ  Ａｃｃｅｓｓ  Ｎｅｔｗｏｒｋ、ＲＡＮ）を接続し、１つまたは複数のコアネットワークと通信することができる。無線端末は、移動電話（または「セルラー」ホンと呼ばれ）と移動端末を有するコンピュータなどのモバイル端末であってもよく、例えば、ポータブル、小型、ハンドヘルド、コンピュータ内蔵または車載のモバイルデバイスであってもよく、これらは無線アクセスネットワークと言語及び／またはデータを交換する。例えば、パーソナル通信業務（サービス）（Ｐｅｒｓｏｎａｌ  Ｃｏｍｍｕｎｉｃａｔｉｏｎ  Ｓｅｒｖｉｃｅ、ＰＣＳ）電話、コードレス電話、会話（セッション）開始プロトコル（Ｓｅｓｓｉｏｎ  Ｉｎｉｔｉａｔｉｏｎ  Ｐｒｏｔｏｃｏｌ、ＳＩＰ）電話機、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｉｓｔａｎｔ、ＰＤＡ）などの装置。無線端末は、システム、加入者ユニット、加入者局（Ｓｕｂｓｃｒｉｂｅｒ  Ｕｎｉｔ）、移動局（Ｍｏｂｉｌｅ  Ｓｔａｔｉｏｎ）、モビール（Ｍｏｂｉｌｅ）、遠隔局（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ装置（Ｕｓｅｒ  Ｔｅｒｍｉｎａｌ）、ユーザ代理（Ｕｓｅｒ  Ａｇｅｎｔ）、ユーザデバイス（Ｕｓｅｒ  Ｄｅｖｉｃｅ  ｏｒ  Ｕｓｅｒ  Ｅｑｕｉｐｍｅｎｔ）とも呼ばれ、ここでは限定しない。
【０１１０】
本開示の実施例は、また、コンピュータープログラムが記憶されているコンピューター可読記憶媒体を提供し、このコンピュータープログラムがプロセッサーによって実行されると、上記の伝送指示信号の伝送方法の実施例の各プロセスを実現し、且つ、同じ技術効果を達成することができ、繰り返しないために、ここでは贅言を要しない。そのうち、上記のコンピュータ読み取り可能な記憶媒体としては、例えば、読み取りのみメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスクまたは光ディスクなど。
【０１１１】
以上の実施例は、本開示の伝送指示信号の伝送方法を端末側から説明したが、次に、本実施例では、付録図と結び付けて、ネットワーク装置側の伝送指示信号の伝送方法をさらに説明する。
【０１１２】
図１０に示すように、本開示の実施例の伝送指示信号の伝送方法は、ネットワーク装置側に適用され、そして、この方法は以下のステップを含む。
【０１１３】
ステップ１０１、占用された時間周波数リソースの一部のリソース上で伝送指示信号が送信され、そのうち、伝送指示信号が端末動作指示情報に従って対応する端末行為を実行するように、端末を指示するために使用される。
【０１１４】
そのうち、端末動作指示情報は、端末動作を指示するために使用され、例えば、端末動作指示情報は、「ＰＤＣＣＨセンシング、ＣＳＩ測定、無線リソース管理ＲＲＭ測定、ビーム管理測定、無線リンク監視測定、及びビーム失敗検出、これらの動作のうち、少なくとも１つを実行するように、端末を指示するため使用される。そのうち、ネットワーク装置は、上位層シグナリングまたはＭＡＣ  ＣＥを介して端末にこの端末行動指示情報を送信することができる。
【０１１５】
ＮＲシステムを例にとると、ＮＲの非許可周波数帯域において、ネットワーク装置は下り情報を送信する前に、チャネルをセンシングする必要があり、アイドルチャネルを発見して成功的にそれを占用した後に下り情報を送信することができる。そのうち、伝送指示信号はネットワーク装置がアイドルチャネルの占用に成功したことを指示するために使用され、つまり、ネットワーク装置がアイドルチャネルの占用に成功した時、「ネットワーク装置が既に空きチャネルを占用した」とのことで、端末に伝送指示信号を送信する。端末ができるだけ早く伝送指示信号を検出できるように、また、端末が伝送指示信号を確実に受信できるように、ネットワーク装置は占用された周波数リソースで伝送指示信号を複数の回送信してもよい。
【０１１６】
本開示の実施例の伝送指示信号は物理信号または物理チャネルの形式で送信することができる。例えば、伝送指示信号は、
物理下り制御チャネルＰＤＣＣＨと、
ＰＤＣＣＨの復調参照信号ＤＭＲＳと、
物理下り共有チャネルＰＤＳＣＨのＤＭＲＳと、
チャネル状態情報の参照信号ＣＳＩ−ＲＳと、
所定の系列とのうちのいずれか１つの形式で送信し得る。そのうち、所定の系列には、ＺＣ序列、Ｇｏｌｄ序列、ｍ序列の内少なくとも１つが含まれる。つまり、所定の系列は、ＺＣ序列、Ｇｏｌｄ序列或いはｍ序列であってもよく、またはＺＣ序列、Ｇｏｌｄ序列とｍ序列のうち複数の序列の集合であってもよい。或いは、所定の系列には、ＺＣ序列、Ｇｏｌｄ序列、ｍ序列の内少なくとも２つの変調によって形成される変調系列が含まれ、つまり、所定の系列はＺＣ序列、Ｇｏｌｄ序列及びｍ序列のうち少なくとも２つ序列の変調であってもよい。
【０１１７】
さらに、ステップ１０１の前に、また、伝送指示信号を端末に送信するための設定情報も含まれる。つまり、ネットワーク装置は、伝送指示信号に対して設定することができる。そのうち、設定情報は次の伝送指示信号の伝送サイクル、所在のタイムスロットｓｌｏｔ、所在のｓｌｏｔの内のＯＦＤＭ符号の位置、所在ｓｌｏｔうちのＯＦＤＭ符号の数、所在ＯＦＤＭシンボルのリソースブロックＲＢ及び疑似コロケーションＱＣＬ関係のうち少なくとも１つが含まれるがこれらに限定されない。そのうち、ＱＣＬ関係は伝送指示信号と以下のうち少なくとも１つの疑似コロケーション、同期信号ブロックＳＳＢ、ディスカバリ信号及びＣＳＩ−ＲＳを含む。つまり、伝送指示信号をＳＳＢと疑似コロケーション（同じ場所）に設定するか、または伝送指示信号をディスカバリ信号と疑似コロケーションに設定するか、または伝送指示信号をＣＳＩ−ＲＳと疑似コロケーションに設定することができる。
【０１１８】
次に、この実施例では、異なる伝送形式の適用例示と結び付けて伝送指示信号について、さらに説明する。
【０１１９】
上記の例示１に対応して伝送指示信号はＰＤＣＣＨの形態で伝送する。
【０１２０】
伝送指示信号がＰＤＣＣＨを介して送信される場合、伝送指示信号の設定情報は、ＰＤＣＣＨのセンシング周期、センシング持続時間、ｓｌｏｔオフセット、ｓｌｏｔうちのＯＦＤＭシンボル、所在の制御リソースセットＣＯＲＥＳＥＴ、下り制御情報ＤＣＩフォーマット、ＤＣＩサイズ、制御チャネル要素ＣＣＥのアグリゲーションレベルＡＬとセンシングするＣＣＥ候補集合のうち少なくとも１つを含む。
【０１２１】
上記の例示２に対応して伝送指示信号はＰＤＣＣＨのＤＭＲＳの形態で伝送する。
【０１２２】
ネットワーク装置は、アイドルチャネルを占用してから、チャネル占有時間ＣＯＴ内にこのＰＤＣＣＨのＤＭＲＳを周期的に送信する。
【０１２３】
このＰＤＣＣＨのＤＭＲＳは帯域幅ＤＭＲＳであり、即ち、制御リソースセットＣＯＲＥＳＥＴ内の各リソースブロックＲＢにもＰＤＣＣＨのＤＭＲＳがある。そのうち、ＰＤＣＣＨのＤＭＲＳ所在のＣＯＲＥＳＥＴの時間領域位置は、例えば、各ｓｌｏｔの０番目及び／または７番目のＯＦＤＭ符号がこのＣＯＲＥＳＥＴの開始位置であることには予め定義してもよい。
【０１２４】
さらに、帯域幅ＤＭＲＳは、制御リソースセットＣＯＲＥＳＥＴにおいて連続するリソースブロックＲＢのリソースエレメントグループＲＥＧの上にマッピングされ、且つ、ＣＯＲＥＳＥＴのプリコーディング粒子度は、ＣＯＲＥＳＥＴに含まれるＲＢの数と同じである。
【０１２５】
この伝送指示信号の設定情報はＰＤＣＣＨのＤＭＲＳが所在のＣＯＲＥＳＥＴ及び／またはＣＯＲＥＳＥＴの時間領域位置を含む。つまり、ＰＤＣＣＨ−ＤＭＲＳのＣＯＲＥＳＥＴの時間周波数リソース位置は、事前に定義できるか、また、上位層シグナリングを介して、ネットワーク装置によって設定することもできる。
【０１２６】
例示３に対応して伝送指示信号はＰＤＳＣＨのＤＭＲＳまたはＣＳＩ−ＲＳの形態で送信する。
【０１２７】
ネットワーク装置はチャネルを占用したＣＯＴのうちでＰＤＳＣＨのＤＭＲＳ／ＣＳＩ−ＲＳを送信する。そのうち、ＰＤＳＣＨのＤＭＲＳ或いはＣＳＩ−ＲＳの時間領域位置は、例えば、各ｓｌｏｔの３番目及び１０番目のＯＦＤＭシンボルに固定して送信するように予め定義されていてもよい。或いは、ＰＤＳＣＨのＤＭＲＳまたはＣＳＩ−ＲＳの時間領域位置はネットワーク装置によって設定され得る。このＰＤＳＣＨを送信するためのＤＭＲＳまたはＣＳＩ−ＲＳの時間リソースは周期的であってもよく、つまり、ネットワーク装置は固定の周期で端末に伝送指示信号を送信してもよい。
【０１２８】
具体的には、伝送指示信号がＰＤＳＣＨのＤＭＲＳを介して送信される場合、伝送指示信号の設定情報は、ＰＤＳＣＨのＤＭＲＳが所在のＯＦＤＭ符号及び／またはＯＦＤＭシンボル上のＲＢを含む。例えば、このＰＤＳＣＨのＤＭＲＳは伝送チャネル帯域幅の対応するＯＦＤＭ符号上のＲＢの一部或いは全部で送信される。
【０１２９】
伝送指示信号がＣＳＩ−ＲＳを介して伝送される場合、伝送指示信号の設定情報は、ＣＳＩ−ＲＳのポート数、周期、所在の時間領域位置、所在の周波数領域位置、密度、符号分割多重ＣＤＭタイプ、電力サイズ、時間領域位置のＲＢ、スクランブリングＩＤ、及び送信設定指示ＴＣＩ状態のうち少なくとも１つを含む。例えば、このＣＳＩ−ＲＳは伝送チャネル帯域幅の対応するＯＦＤＭ符号上のＲＢの一部または全部で送信する。さらに、ＣＳＩ−ＲＳは、参照信号ＴＲＳを追跡する形式で設定されてもよい。
【０１３０】
例示４に対応して伝送指示信号は所定の系列形態で送信する。
【０１３１】
伝送指示信号が所定の系列で送信される場合、伝送指示信号の設定情報には、所定の系列の生成パラメーター、周期、所在の時間領域リソース、電力サイズ及び所定の系列の伝送リソースの内少なくとも１つが含まれる。例えば、そのリソースが占用する時間周波数リソースを１回送信すると、１つのＯＦＤＭシンボル上の複数のＲＢを占用したり、または１つのｓｌｏｔ（スロット）上の複数のＯＦＤＭシンボル上の１つのＲＢで送信したりすることができる。
【０１３２】
そのうち、所定の系列の生成パラメーターは、ネットワーク装置のチャネル占有時間ＣＯＴの時間情報に関連し、時間情報は、ＣＯＴの開始時刻、持続時間、及び終了時刻のうち少なくとも１つを含む。従って、端末は所定の系列の検出に基づいて、ＣＯＴの開始時刻、持続時間、及び終了時刻などのネットワーク装置によって現在送信されているＣＯＴ情報を取得することができる。
【０１３３】
さらに、ネットワーク装置は、伝送指示信号を送信した後、すなわち、ステップ１０１の後に、また、端末に下り物理信号または下り物理チャネルを送信することを含み、そのうち、下り物理信号または下り物理チャネルは、伝送指示信号の送信リソースと重ならない。ネットワーク装置によってスケジューリングされた下り物理信号や下り物理チャネルリソースが、この伝送指示信号によって占用された部分のＲＥ／ＲＢリソースと同じであると仮定すれば、下り物理信号或いは下り物理チャネルは、下り物理信号または下り物理チャネルが伝送指示信号の伝送資源と重ならないために、これらのＲＥ／ＲＢの上にマッピングされない。そのうち、下り物理チャネルは、物理下りブロードキャストチャネルＰＢＣＨ、ＰＤＣＣＨ、及びＰＤＳＣＨのうち少なくとも１つを含む。
【０１３４】
当開示の実施例の伝送指示信号の送信方法では、不必要な行為の試みることを免れるために、ネットワーク装置は端末動作指示情報に基づいて、対応の端末動作を実行するように、端末に伝送指示信号を送信する。それによって、伝送性能を向上させ、端末の電力消費を節約することができる。
【０１３５】
以上の実施例では、異なるシーンにおける伝送指示信号の伝送方法について詳細に説明を行ったが、次に、本実施例では、付録図と結び付けて、その対応する端末についてさらに説明する。
【０１３６】
図１１に示すように、本開示の実施例のネットワーク装置１１００は、上記の実施例にて占用された時周波数リソースの一部リソースで伝送指示信号を送信することができ、ここで、伝送指示信号は、端末動作指示情報に従って対応する端末動作を実行する方法の詳細を、端末に指示するためである。そして、同様の効果を達成するために使用される。この端末１１００は、具体的には、以下の機能モジュールを含む。
【０１３７】
第１送信モジュールは、占用している時間周波数リソースの一部のリソースで伝送指示信号の送信に使用され、伝送指示信号は端末動作指示情報に基づいて対応する端末動作を実行するように、端末を指示するために使用され、この端末動作の指示情報は端末動作を指示するために使用される。
【０１３８】
そのうち、伝送指示信号は、
物理下り制御チャネルＰＤＣＣＨと、
ＰＤＣＣＨの復調参照信号ＤＭＲＳと、
物理下り共有チャネルＰＤＳＣＨのＤＭＲＳと、
チャネル状態情報の参照信号ＣＳＩ−ＲＳと、
所定の系列とのうちのいずれか１つの形式で送信される。
【０１３９】
そのうち、所定の系列はＺＣ序列、Ｇｏｌｄ序列、ｍ序列のうち少なくとも１つを含み、または所定の系列はＺＣ序列、Ｇｏｌｄ序列、ｍ序列のうち少なくとも２つの変調によって形成される変調系列を含む。
【０１４０】
そのうち、ＰＤＣＣＨのＤＭＲＳは帯域幅ＤＭＲＳである。
【０１４１】
そのうち、帯域幅ＤＭＲＳは、制御リソースセットＣＯＲＥＳＥＴにおいて連続するリソースブロックＲＢのリソースエレメントグループＲＥＧの上にマッピングされ、且つ、ＣＯＲＥＳＥＴのプリコーディング粒子度は、ＣＯＲＥＳＥＴに含まれるＲＢの数と同じである。
【０１４２】
そのうち、ＰＤＣＣＨのＤＭＲＳが所在のＣＯＲＥＳＥＴの時間領域位置は予め定義されたものである。
【０１４３】
そのうち、ＰＤＳＣＨのＤＭＲＳまたはＣＳＩ−ＲＳの時間領域位置は予め定義されたものである。
【０１４４】
そのうち、ネットワーク装置１１００はまた次のものを含む。
【０１４５】
第２送信モジュールは、端末に伝送指示信号の設定情報を送信するために使用される。
【０１４６】
そのうち、設定情報は、伝送指示信号の伝送周期、所在のタイムスロットｓｌｏｔ、所在のｓｌｏｔにおけるＯＦＤＭシンボル位置、所在のｓｌｏｔにおけるＯＦＤＭシンボル数、所在のＯＦＤＭシンボル上のリソースブロックＲＢと疑似コロケーションＱＣＬ関係のうち少なくとも１つを含む。
【０１４７】
そのうち、ＱＣＬ関係は伝送指示信号と以下のうち少なくとも１つの疑似コロケーション、同期信号ブロックＳＳＢ、ディスカバリ信号及びＣＳＩ−ＲＳを含む。
【０１４８】
そのうち、伝送指示信号がＰＤＣＣＨを介して送信される場合、設定情報は、ＰＤＣＣＨのセンシング周期、センシング持続時間、ｓｌｏｔオフセット、ｓｌｏｔうちのＯＦＤＭシンボル、所在の制御リソースセットＣＯＲＥＳＥＴ、下り制御情報ＤＣＩフォーマット、ＤＣＩサイズ、制御チャネル要素ＣＣＥのアグリゲーションレベルＡＬとセンシングするＣＣＥ候補集合のうち少なくとも１つを含む。
【０１４９】
そのうち、伝送指示信号はＰＤＣＣＨのＤＭＲＳを介して送信する場合、設定情報はＰＤＣＣＨのＤＭＲＳが所在のＣＯＲＥＳＥＴ及び／またはＣＯＲＥＳＥＴの時間領域位置を含む。
【０１５０】
そのうち、伝送指示信号はＰＤＳＣＨのＤＭＲＳを介して送信される場合、設定情報は、ＰＤＳＣＨのＤＭＲＳが所在のＯＦＤＭ符号及び／またはＯＦＤＭシンボル上のＲＢを含む。
【０１５１】
そのうち、伝送指示信号がＣＳＩ−ＲＳを介して送信される場合、設定情報は、ＣＳＩ−ＲＳのポート数、周期、所在の時間領域位置、所在の周波数領域位置、密度、符号分割多重ＣＤＭタイプ、電力サイズ、時間領域位置のＲＢ、スクランブリングＩＤ、及び伝送設定指示ＴＣＩ状態のうち少なくとも１つを含む。
【０１５２】
そのうち、伝送指示信号は所定の系列で送信される場合、設定情報には、所定の系列の生成パラメーター、周期、所在の時間領域リソース、電力サイズ及び所定の系列の伝送リソースの内少なくとも１つが含まれる。
【０１５３】
そのうち、所定の系列の生成パラメーターは、ネットワーク装置のチャネル占有時間ＣＯＴの時間情報に関連し、時間情報は、ＣＯＴの開始時刻、持続時間、及び終了時刻のうち少なくとも１つを含む。
【０１５４】
そのうち、ネットワーク装置１１００はまた、次のものを含む。
【０１５５】
第３送信モジュールは、下り物理信号または下り物理チャネルを送信するために使用され、そのうち、下り物理信号または下り物理チャネルは、伝送指示信号の送信リソースと重ならない。
【０１５６】
そのうち、下り物理チャネルは、物理下りブロードキャストチャネルＰＢＣＨ、ＰＤＣＣＨ、及びＰＤＳＣＨのうち少なくとも１つを含む。
【０１５７】
指摘に値するものは、本開示の実施例のネットワーク装置は、不必要な行為の試みることを免れるために、端末動作指示情報に基づいて、対応の端末動作を実行すえ売るように、端末に伝送指示信号を送信する。それによって、送信性能を向上させ、端末の電力消費を節約することができる。
【０１５８】
説明する必要があるのは、以上のネットワーク装置と端末の各モジュールの区分は、論理機能の区分にすぎないことを理解すべきであり、実際に実現すると、その全部または一部を１つの物理の実体に集成してもよく、また、物理的に分離しても良い。且つ、これらのモジュールは、すべてソフトウェアでコンポーネント処理によって呼び出される形式で実現されてもよく、すべてハードウェアの形式で実現されてもよく、また、一部のモジュールは、コンポーネント処理によってソフトウェアを呼び出す形式で実現されてもよく、一部のモジュールはハードウェアの形式で実現されてもよい。例えば、モジュールの決定については、個別に設定された処理部品であってもよく、上記の装置のある１つのチップに集成で実現されてもよく、また、上記の装置のメモリにプログラムコードとして記憶されてもよく、上記の装置のある１つの処理部品によって呼び出して上記の決定モジュールの機能を実行しても良い。他のモジュールの実現（実装）はこれと類似している。さらに、これらのモジュールは全部または一部を一つの場所に集成することができ、独立して実現（実装）することもできる。ここで説明する処理部品は、信号の処理能力を有する一種の集積回路とすることができる。実現（実装）中にて、上記の方法の各ステップまたは上記の各モジュールは、プロセッサ部品のハードウェアの集積論理回路またはソフトウェア形式の指令によって達成され得る。
【０１５９】
例えば、上記のこれらのモジュールは、上記の方法を実施するように設定された１つまたは複数の集積回路であってもよく、例えば、１つまたは複数の特定の集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または、１つまたは複数のマイクロプロセッサ（ｄｉｇｉｔａｌ  ｓｉｇｎａｌ  ｐｒｏｃｅｓｓｏｒ、ＤＳＰ）、または、１つまたは複数の現地プログラミング可能な（プログラマブル）ゲートアレイ（Ｆｉｅｌｄ  Ｐｒｏｇｒａｍｍａｂｌｅ  Ｇａｔｅ  Ａｒｒａｙ、ＦＰＧＡ）などであってもよい。また、上記のあるモジュールが処理部品のスケジューリングプログラムコードによって実現される場合、この処理部品は通用プロセッサであってもよく、例えば、中央プロセッサ（Ｃｅｎｔｒａｌ  Ｐｒｏｃｅｓｓｉｎｇ  Ｕｎｉｔ、ＣＰＵ）または他のプログラムコードを呼び出すことができるプロセッサであってもよい。更に、これらのモジュールは１つの場所に集成されて、システムオンチップ（ｓｙｓｔｅｍ−ｏｎ−ａ−ｃｈｉｐ、ＳＯＣ）の形で実現されてもよい。  
【０１６０】
上記の目的をより良く実現するために、本開示の実施例は、また、プロセッサ、メモリ、及びメモリに記憶されてで実行可能なコンピュータプログラムを含むネットワーク装置を提供し、プロセッサがコンピュータプログラムを実行するときに上記のような伝送指示信号の伝送方法についてのステップを実現する。当開示の実施例はまた、コンピュータープログラムが記憶されているコンピューター可読記憶媒体を提供し、コンピュータープログラムがプロセッサーによって実行されると上記の伝送指示信号の伝送方法についてのステップを実現する。
【０１６１】
具体的には、本開示の実施例は、また、ネットワーク装置を提供する。図１２に示すように、このネットワーク装置１２００は、アンテナ１２１、無線周波数装置１２２、ベースバンド装置１２３を含む。アンテナ１２１は無線周波数装置１２２に接続されている。上り方向において、無線周波数装置１２２は、アンテナ１２１を介して情報を受信し、処理させるために、受信した情報をベースバンド装置１２３に送信する。下り方向において、ベースバンド装置１２３は、送信しようとする情報を処理して無線周波数装置１２２に送信し、無線周波数装置１２２は、受信した情報を処理してからアンテナ１２１を介して送信する。
【０１６２】
上記の周波数帯域処理装置は、ベースバンド装置１２３に設定されてもよく、上記の実施例のネットワーク装置の実行する方法は、プロセッサ１２４とメモリ１２５とを含むベースバンド装置１２３に実現（実施）されてもよい。
【０１６３】
ベースバンド装置１２３は、例えば、少なくとも１つのベースバンドボードを含むことができ、このベースバンドボードに複数のチップを設置され、図１２に示すように、そのうちの一つのチップは、例えば、プロセッサ１２４である場合、メモリ１２５内のプログラムを呼びだして上記の方法の実施例に示すネットワーク装置の動作を実行するために、メモリ１２５と接続する必要がある。
【０１６４】
このベースバンド装置１２３は、また、ネットワークインターフェース１２６を含むこともでき、無線周波数デバイス１２２と互いに情報交換に使用される。このインターフェースは例えば、通用的な共用無線インターフェース（ｃｏｍｍｏｎ  ｐｕｂｌｉｃ  ｒａｄｉｏ  ｉｎｔｅｒｆａｃｅ、ＣＰＲＩ）である。
【０１６５】
ここでのプロセッサは、１つのプロセッサであってもよく、複数の処理素子の総称であってもよく、例えば、このプロセッサはＣＰＵであってもよく、ＡＳＩＣであってもよく、または、上記のネットワーク装置によって実行される方法を実施するように設定された１つまたは複数の集積回路であり、例えば、１つまたは複数のマイクロプロセッサＤＳＰ、または、１つまたは複数の現地プログラマブルゲートアレイＦＰＧＡなどであってもよい。記憶素子は１つのメモリであってもよく、複数の記憶素子の総称であってもよい。
【０１６６】
メモリ１２５は揮発性メモリまたは不揮発性メモリであってもよく、または揮発性と不揮発性メモリの両方を含んでもよい。そのうち、不揮発性メモリは、リードオンリーメモリ（Ｒｅａｄ−Ｏｎｌｙ  Ｍｅｍｏｒｙ、ＲＯＭ）、プログラマブル読取り専用メモリ（Ｐｒｏｇｒａｍｍａｂｌｅ  ＲＯＭ、ＰＲＯＭ）、消去可能プログラマブル読取り専用メモリ（Ｅａｓａｂｌｅ  ＰＲＯＭ、ＥＰＲＯＭ）、電気的消去可能プログラマブル読取り専用メモリ（Ｅｌｅｃｔｒｉｃａｌｌｙ  ＥＰＲＯＭ、ＥＥＰＲＯＭ）またはフラッシュメモリであってもよい。揮発性メモリは、外部キャッシュとして機能するランダムアクセスメモリ（Ｒａｎｄｏｍ  Ａｃｃｅｓｓメモリ、ＲＡＭ）であってもよい。例示的に、限定的ではない説明することによって、多くの形態のＲＡＭは、例えば、静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、同期ダイナミックランダムアクセスメモリ（Ｓｙｎｃｒｏｎｏｕｓ  ＤＲＡＭ、ＳＤＲＡＭ）、二倍データレート同期ダイナミックランダムアクセスメモリ（Ｄｏｕｂｌｅ  Ｄａｔａ  Ｒａｔｅ  ＳＤＲＡＭ、ＤＤＲＳＤＲＡＭ、）増強型同期ダイナミックランダムアクセスメモリ（Ｅｎｈａｎｃｅｄ  ＳＤＲＡＭ、ＥＳＤＲＡＭ）、同期接続ダイナミックランダムアクセスメモリ（Ｓｙｎｃｌｉｎｋ  ＤＲＡＭ、ＳＬＤＲＡＭ）、および直接内部メモリバスランダムアクセスメモリ（Ｄｉｒｅｃｔ  Ｒａｍｂｕｓ  ＲＡＭ、ＤＲＲＡＭ）などの利用が可能である。本出願に記載されたメモリ１２５は、これら及び他の任意の適したタイプのメモリを含むがこれらに限定されない。
【０１６７】
具体的には、本開示の実施例のネットワーク装置は、また、メモリ１２５に記憶され、プロセッサ１２４にて実行可能なコンピュータプログラムを含み、プロセッサ１２４は、メモリ１２５にあるコンピュータプログラムを呼び出して図１１に示す各モジュールによって実行される方法を実行する。
【０１６８】
具体的には、コンピュータプログラムは、プロセッサ１２４によって呼び出すときに次の動作を実行するために使用されてもよい。つまり、占用された時間周波数リソースの一部のリソースで伝送指示信号を送信する。そのうち、伝送指示信号は端末動作指示情報に基づいて対応する端末動作を実行するように、端末を指示するために使用される。
【０１６９】
本開示の実施例のネットワーク装置は、不必要な行為の試みることを免れるために、端末動作指示情報に基づいて、対応の端末動作を実行するように、端末に伝送指示信号を送信する。それによって、送信性能を向上させ、端末の電力消費を節約することができる。
【０１７０】
当業界の技術者は、本文に開示された実施例に記載される各例示のユニット及びアルゴリズムステップと結び付けて、電子ハードウェア、またはコンピュータソフトウェアと電子ハードウェアとの組み合わせで実現することを認識できる。これらの機能は一体ハードウェアまたはソフトウェアで実行されるかは、技術スキームの特定の応用及び設計制約条件に依存する。専門技術者は、それぞれの特定のアプリケーションに対して記載された機能を達成するために異なる方法を使用することができるが、このような実現は本開示の範囲を超えていると考えてはならない。
【０１７１】
所属の領域（業界）の技術者は次のことについては良く分かるであろう。説明の便宜上、かつ簡略化のために、上記で説明したシステム、装置、及びユニットの具体的な動作プロセスは、前述の方法の実施例の対応のプロセスを参照してもよく、ここでは贅言を要しない。
【０１７２】
本出願書で提供された実施例には、開示された装置および方法は、他の方式で実現されてもよいことが理解されるべきである。例えば、上述した装置の実施例は単に意図を示す（概略的な）ものであり、例えば、上記のユニットの区分は、論理機能の区分にすぎず、実際に実現される場合は、他の区分があってもよく、例えば、複数のユニットまたはコンポーネントは、結合してもよく、または別のシステムに集成してもよく、または一部の特徴は無視されてもよく、または実行されなくてもよい。別の点では、表示または議論された相互間の結合または直接結合または通信接続は、いくつかのインターフェース、装置またはユニットの間接結合または通信接続を介して、電気的、機械的または他の形態であってもよい。
【０１７３】
分離部品として説明されたユニットは、物理的に分離されているものではなくても、であっても良いし、ユニットとして表示された部品は、物理的なユニットではなくても、であっても良いし、即ち、一箇所に位置しても良いし、或いは複数のネットワークユニットに分布しても良い。実際の必要に応じて、その中の一部または全部のユニットを選択することによって、本実施例の目的を実現することができる。
【０１７４】
また、本開示の各実施例の各機能ユニットは、１つの処理ユニットに集成されても良いし、各ユニットが個別に物理的に存在しても良いし、２つまたは２つ以上のユニットが１つのユニットに集成されても良い。
【０１７５】
上記の機能がソフトウェア機能ユニットの形態で実現され、独立した製品として販売または使用される場合、１つのコンピューターの読み取り可能な記憶媒体に記憶されてもよい。このような理解に基づいて、本開示の技術案は、本質的に、または関連する技術に寄与する部分またはその技術案の一部をソフトウェア製品の形態で具現化することができる。このコンピューターソフトウェア製品は、いくつかの指令を含む記憶媒体に保存され、１つのコンピューター装置（パーソナルコンピューター、サーバー、またはネットワーク装置などであってもよい）に、本開示の各実施例に記載された方法についてのステップの全部または一部を実行させるために使用される。上記の記憶媒体は、Ｕディスク、リムーバブルハードディスク、ＲＯＭ、ＲＡＭ、磁気ディスク、または光ディスクなど各種のプログラムコードを記憶することができる媒体を含む。
【０１７６】
さらに、指摘する必要があるものは、本開示の装置と方法では、各部品または各ステップが分解及び／または再組み合せることが明らかに可能である。これらの分解及び／または再組合せは、本開示の等価スキームと見なすべきである。しかも、上記の一連の処理を実行するステップについては、自然に説明された順序や時間順に実行することができるが、必ずしも時間順に実行する必要はなく、いくつかのステップは並列または独立して実行することができる。当業界の一般の技術者に取っては、本開示の方法及び装置の全てまたは如何なるステップまたは部品を理解することができ、如何なるコンピューティングデバイス（プロセッサ、記憶媒体などを含む）またはコンピューティングデバイスのネットワークにおいて、ハードウェア、ファームウェア、ソフトウェア、またはこれらの組み合わせで実現することができ、これは当業界の一般の技術者が本開示の説明を読んだ後、彼らの基本的なプログラミング技能を運用すれば良く実現できる。
【０１７７】
したがって、本開示の目的は、如何なるコンピューティングデバイス上で１つのプログラムまたは１組のプログラムを実行することによっても達成され得る。上記の計算装置は公知の通用装置であってもよい。したがって、本開示の目的は、ただ、上記の方法または装置のプログラムコードを含むプログラム製品を提供することによって実現されてもよい。つまり、このようなプログラム製品も本開示（の特許）を構成し、しかも、このようなプログラム製品が保存された記憶媒体も本開示（の特許）を構成する。明らかに、上記の記憶媒体は、如何なる公知の記憶媒体であってもよく、または将来に開発される如何なる記憶媒体であってもよい。さらに、指摘に値するものは、本開示の装置と方法では、各部品または各ステップが分解及び／または再組み合せることが明らかに可能である。これらの分解及び／または再組合せは、本開示の等価スキームと見なすべきである。しかも、上記の一連の処理を実行するステップについては、自然に説明された順序や時間順に実行することができるが、必ずしも時間順に実行する必要はなく、いくつかのステップは並列またはそれぞれ独立して実行することができる。
【０１７８】
当業界の一般の技術者は、上記の実施例の方法のすべてまたは一部のフローを実現することは、コンピュータープログラムによって、関連するハードウェアを制御することによって遂行可能であり、上記のプログラムは、１つのコンピューター読取可能記憶媒体に記憶されてもよく、実行時には、上記の各方法の実施例のプロセスを含むことができることを理解することができる。そのうち、上記の記憶媒体は、磁気ディスク、光ディスク、ＲＯＭ、またはＲＡＭなどとすることができる。
【０１７９】
以上説明したのは、本開示の選択可能の実施方式であり、本業界の一般の技術者に取っては、本開示に記載された原理を逸脱せずに、いくつかの改良及び修飾を行うことができ、これらの改良および修飾も本開示の保護範囲内にあることを指摘すべきである。
【図１】
2022500951.tif 000006
【図２】
2022500951.tif 000007
【図３】
2022500951.tif 000008
【図４】
2022500951.tif 000009
【図５】
2022500951.tif 000010
【図６】
2022500951.tif 000011
【図７】
2022500951.tif 000012
【図８】
2022500951.tif 000013
【図９】
2022500951.tif 000014
【図１０】
2022500951.tif 000015
【図１１】
2022500951.tif 000016
【図１２】
2022500951.tif 000017
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
端末側に適用される伝送指示信号の伝送方法であって、
ネットワーク装置によって占有される時間周波数リソースのうちの一部のリソースで伝送指示信号を受信するステップを含み、
前記伝送指示信号は、端末動作指示情報に基づいて対応する端末動作を実行するように前記端末に指示するために使用され、
前記端末動作指示情報は、端末動作を指示するために使用される、伝送指示信号の伝送方法。
【請求項２】
前記端末動作指示情報は、前記のネットワーク装置が、上位層シグナリングまたはメディアアクセス制御（ＭＡＣ）制御ユニット（ＣＥ）を通じて伝送され、前記端末動作指示情報は、以下の動作、即ち、
物理下り制御チャネル（ＰＤＣＣＨ）のセンシング、
チャネル状態情報（ＣＳＩ）の測定、
無線リソース管理（ＲＲＭ）の測定、
ビーム管理測定、
無線リンク監視、及び、
ビーム失敗検出、のうちの少なくとも１つを実行するように、端末に指示するために使用される、請求項１に記載の伝送指示信号の伝送方法。
【請求項３】
ネットワーク装置によって占用される時間周波数リソースのうちの一部のリソースで伝送指示信号を受信するステップの後に、さらに、
下り物理信号または下り物理チャネルを受信するステップを含み、そのうち、前記下り物理信号または下り物理チャネルは、前記伝送指示信号の伝送リソースと重ならない、請求項１に記載の伝送指示信号の伝送方法。
【請求項４】
前記ネットワーク装置によって占用される時間周波数リソースは、アンライセンスバンドの周波数帯域リソースである、請求項１に記載の伝送指示信号の伝送方法。
【請求項５】
前記伝送指示信号は、
ＰＤＣＣＨと、
ＰＤＣＣＨの復調参照信号（ＤＭＲＳ）と、
物理下り共有チャネル（ＰＤＳＣＨ）のＤＭＲＳと、
チャネル状態情報参照信号（ＣＳＩ−ＲＳ）と、
所定の系列とのうちの１つによって伝送され、請求項１に記載の伝送指示信号の伝送方法。
【請求項６】
前記ＰＤＣＣＨのＤＭＲＳは帯域幅（ＤＭＲＳ）である、請求項５に記載の伝送指示信号の伝送方法。
【請求項７】
前記帯域幅（ＤＭＲＳ）は、制御リソースセット（ＣＯＲＥＳＥＴ）内の連続するリソースブロック（ＲＢ）のリソースエレメントグループ（ＲＥＧ）の上にマッピングされ、且つ、前記ＣＯＲＥＳＥＴのプリコーディング粒子度は、前記ＣＯＲＥＳＥＴに含まれるＲＢ数と同じである、請求項６に記載の伝送指示信号の伝送方法。
【請求項８】
ネットワーク装置によって占用される時間周波数リソースのうちの一部のリソースで前記伝送指示信号を受信するステップの前に、前記伝送指示信号の設定情報を受信するステップをさらに含む、請求項５に記載の伝送指示信号の伝送方法。
【請求項９】
前記設定情報は、前記伝送指示信号の伝送周期、所在タイムスロット（ｓｌｏｔ）、所在ｓｌｏｔにおける直交周波数分割多重（ＯＦＤＭ）シンボルの位置、所在ｓｌｏｔにおけるＯＦＤＭシンボルの数、所在ＯＦＤＭシンボル上のＲＢ、及び擬似コロケーション（ＱＣＬ）関係のうち少なくとも１つを含む、請求項８に記載の伝送指示信号の伝送方法。
【請求項１０】
前記ＱＣＬ関係は、前記伝送指示信号が、同期信号ブロック（ＳＳＢ）、ディスカバリ信号及びＣＳＩ−ＲＳのうちの少なくとも１つと擬似コロケーションであることを含む、請求項９に記載の伝送指示信号の伝送方法。
【請求項１１】
前記伝送指示信号が前記ＰＤＣＣＨを介して送信される場合、前記設定情報は、前記ＰＤＣＣＨのリセンシング周期、センシング持続時間、ｓｌｏｔオフセット、ｓｌｏｔ内のＯＦＤＭシンボル、所在ＣＯＲＥＳＥＴ、下り制御情報（ＤＣＩ）フォーマット、ＤＣＩサイズ、制御チャネル要素（ＣＣＥ）のアグリゲーションレベルＡＬ、及びセンシングされるＣＣＥ候補集合のうち少なくとも１つを含む、請求項８または請求項９に記載された伝送指示信号の伝送方法。
【請求項１２】
前記伝送指示信号がＰＤＣＣＨのＤＭＲＳを介して伝送される場合、前記設定情報は、前記ＰＤＣＣＨのＤＭＲＳが所在するＣＯＲＥＳＥＴ及び／又は前記ＣＯＲＥＳＥＴの時間領域位置を含み、又は、
前記伝送指示信号がＰＤＳＣＨのＤＭＲＳを介して伝送される場合、前記設定情報は、前記のＰＤＳＣＨのＤＭＲＳが所在するＯＦＤＭシンボル及び／又は前記ＯＦＤＭシンボル上のＲＢを含み、又は、
前記伝送指示信号がＣＳＩ−ＲＳを介して伝送される場合、前記の設定情報は、前記ＣＳＩ−ＲＳのポート数、周期、所在の時間領域位置、所在の周波数領域位置、密度、コード分割多重（ＣＤＭ）タイプ、電力サイズ、前記時間領域位置のＲＢ、スクランブリングＩＤ、及び送信設定指示子（ＴＣＩ）の状態のうち少なくとも１つを含み、
前記伝送指示信号が所定の系列で伝送される場合、前記設定情報は、前記所定の系列の生成パラメータ、周期、所在の時間領域リソース、電力サイズ及び前記所定の系列の伝送リソースの内少なくとも１つを含む、請求項８または請求項９に記載の伝送指示信号の伝送方法。
【請求項１３】
前記所定の系列の生成パラメータは、前記ネットワーク装置のチャネル占有時間（ＣＯＴ）の時間情報に関連し、前記時間情報は、前記ＣＯＴの開始時刻、持続時間、及び終了時刻のうち少なくとも１つを含む、請求項１２に記載の伝送指示信号の伝送方法。
【請求項１４】
ネットワーク装置側に適用される伝送指示信号の伝送方法であって、
占用している時間周波数リソースのうちの一部のリソースで伝送指示信号を送信するステップを含み、
前記伝送指示信号は、端末動作指示情報に基づいて対応する端末動作を実行するようと前記端末に指示するために使用され、
前記端末動作指示情報は、端末動作を指示するために使用される、方法。
【請求項１５】
プロセッサによって実行されると、請求項１〜１４のいずれか１項に記載の伝送指示信号の伝送方法のステップを実現するコンピュータープログラムが記憶されたコンピューター可読記憶媒体。
【国際調査報告】
2022500951.tif 000018
2022500951.tif 000019
2022500951.tif 000020
2022500951.tif 000021